(57)【要約】  本開示の態様は、単一受信（ＲＸ）デバイスのモビリティを強化するための装置および技法を提供する。例となる方法は、一般に、１つまたは複数のモビリティプロシージャを行いながら、１つまたは複数のセルによって送信された同期信号を探索することと、同期信号の検出を強化するために、１つまたは複数のアクションを取ることとを含み、ここにおいて、取られる１つまたは複数のアクションは、行われるモビリティプロシージャのタイプに、少なくとも部分的に依存する。
2018529276.tif 000002
【特許請求の範囲】
【請求項１】
単一受信アンテナを有するユーザ機器（ＵＥ）によるワイヤレス通信のための方法であって、
１つまたは複数のモビリティプロシージャを行いながら、１つまたは複数のセルによって送信された同期信号を探索することと、
同期信号の検出および近傍セルの測定を強化するために、１つまたは複数のアクションを取ること、ここにおいて、前記取られる１つまたは複数のアクションは、行われるモビリティプロシージャのタイプに少なくとも部分的に依存する、と
を備える、方法。
【請求項２】
前記１つまたは複数のアクションを取ることは、
前記ＵＥがプライマリ同期信号（ＰＳＳ）についてモニタするハーフフレーム（ＨＦ）の数を選択すること
を備える、請求項１に記載の方法。
【請求項３】
初期獲得プロシージャに関して、前記探索することは、前記選択された数のＨＦ上でプライマリ同期信号（ＰＳＳ）を組み合わせることを備える、請求項２に記載の方法。
【請求項４】
前記組み合わされたＰＳＳに関する信号対雑音比（ＳＮＲ）が、前記選択された数のＨＦのうちの少なくとも１つのＨＦに関して、しきい値を上回ることを決定すること、
ここにおいて、１つまたは複数のアクションを取ることは、前記決定に基づいて、前記選択された数のＨＦの全てのＨＦが起こる前に初期セル探索を停止することを備える、
をさらに備える、請求項３に記載の方法。
【請求項５】
しきい値の第１のセットは、リスト周波数探索（ＬＦＳ）に基づいて、初期獲得のためのＰＳＳおよびセカンダリ同期信号（ＳＳＳ）を検出するために使用され、
しきい値の第２のセットは、全周波数探索（ＦＦＳ）に基づいて、初期獲得のためのＰＳＳおよびＳＳＳを検出するために使用される、請求項３に記載の方法。
【請求項６】
前記探索することは、対応する相関ピークが、前記選択された数のＨＦのうちの１つより多くに関して、しきい値を超える場合にのみ、セカンダリ同期信号（ＳＳＳ）候補を選択することを備える、請求項５に記載の方法。
【請求項７】
近傍探索プロシージャに関して、前記選択された数のＨＦが、前記ＵＥの動作モードに、少なくとも部分的に基づいて選択される、請求項２に記載の方法。
【請求項８】
前記ＵＥが不連続受信（ＤＲＸ）モードにあるとき、前記選択された数のＨＦは、前記ＵＥのパニック状態に、少なくとも部分的に基づいて、さらに選択され、ここにおいて、前記パニック状態は、どのくらいの頻度で、前記探索が行われるかを決定し、前記パニック状態は、信号品質メトリックに基づく、請求項７に記載の方法。
【請求項９】
近傍セルの測定に関して、前記１つまたは複数のアクションを取ることは、時間ウィンドウの間、複数の測定を介して、時間にわたる最大基準信号受信電力（ＲＳＲＰ）を選択すること
を備える、請求項１に記載の方法。
【請求項１０】
前記１つまたは複数のアクションを取ることは、
サブフレームの第１のグループに関する基準信号受信電力（ＲＳＲＰ）を測定することと、
サブフレームの第２のグループに関するＲＳＲＰを測定することと、
第１のアンテナに関するＲＳＲＰとしてサブフレームの前記第１のグループに関する前記ＲＳＲＰを報告することと、
第２のアンテナに関するＲＳＲＰとしてサブフレームの前記第２のグループに関する前記ＲＳＲＰを報告することと
を備える、請求項９の方法。
【請求項１１】
前記ＵＥが不連続受信（ＤＲＸ）モードにあるとき、前記測定が行われる前記時間ウィンドウの長さが、前記ＵＥのパニック状態に、少なくとも部分的に基づいて選択され、ここにおいて、前記パニック状態は、どのくらいの頻度で、前記測定が行われるかを決定し、前記パニック状態は、信号品質メトリックに基づく、請求項９に記載の方法。
【請求項１２】
１つまたは複数のアクションを取ることは、前記探索を行うためのＨＦの１つまたは複数の部分の周期性を選択することを備える、請求項１に記載の方法。
【請求項１３】
前記周期性は、低いドップラーにあるＵＥに関して、より少ない数のＨＦと共に増やされるか、または
前記周期性は、高いドップラーにあるＵＥに関して、より多くの数のＨＦと共に減らされる、請求項１２に記載の方法。
【請求項１４】
前記１つまたは複数のアクションを取ることは、異なるアンテナに対する値を表すために時間的に多様な値を用いることを備える、請求項１に記載の方法。
【請求項１５】
単一受信アンテナを有するユーザ機器（ＵＥ）によるワイヤレス通信のための装置であって、
１つまたは複数のモビリティプロシージャを行いながら、１つまたは複数のセルによって送信された同期信号を探索するための手段と、
同期信号の検出および近傍セルの測定を強化するために、１つまたは複数のアクションを取るための手段、ここにおいて、１つまたは複数のアクションを取るための前記手段によって取られたアクションは、行われるモビリティプロシージャのタイプに少なくとも部分的に依存する、と
を備える、装置。
【請求項１６】
前記１つまたは複数のアクションを取るための前記手段は、前記ＵＥがプライマリ同期信号（ＰＳＳ）についてモニタするハーフフレーム（ＨＦ）の数を選択するように構成される、請求項１５に記載の装置。
【請求項１７】
初期獲得プロシージャに関して、探索するための前記手段は、前記選択された数のＨＦ上でプライマリ同期信号（ＰＳＳ）を組み合わせるように構成される、請求項１６に記載の装置。
【請求項１８】
前記組み合わされたＰＳＳに関する信号対雑音比（ＳＮＲ）が、前記選択された数のＨＦのうちの少なくとも１つのＨＦに関して、しきい値を上回ることを決定するための手段と、
ここにおいて、１つまたは複数のアクションを取るための前記手段は、前記組み合わされたＰＳＳに関する前記ＳＮＲが、前記選択された数のＨＦのうちの前記少なくとも１つのＨＦに関して前記しきい値よりも上回るという決定に基づいて、前記選択された数のＨＦの全てのＨＦが起こる前に初期セル探索を停止するようにさらに構成される、
をさらに備える、請求項１７に記載の装置。
【請求項１９】
しきい値の第１のセットは、リスト周波数探索（ＬＦＳ）に基づいて、初期獲得のためのＰＳＳおよびセカンダリ同期信号（ＳＳＳ）を検出するために使用され、
しきい値の第２のセットは、全周波数探索（ＦＦＳ）に基づいて、初期獲得のためのＰＳＳおよびＳＳＳを検出するために使用される、請求項１７に記載の装置。
【請求項２０】
探索するための前記手段は、対応する相関ピークが、前記選択された数のＨＦのうちの１つより多くに関して、しきい値を超える場合にのみ、セカンダリ同期信号（ＳＳＳ）候補を選択することを備える、請求項１９に記載の装置。
【請求項２１】
近傍探索プロシージャに関して、１つまたは複数のアクションを取るための前記手段は、前記ＵＥの動作モードに、少なくとも部分的に基づいて、前記ＨＦの数を選択するようにさらに構成される、請求項１６に記載の装置。
【請求項２２】
前記ＵＥが不連続受信（ＤＲＸ）モードにあるとき、１つまたは複数のアクションを取るための前記手段は、前記ＵＥのパニック状態に、さらに少なくとも部分的に基づいて、前記ＨＦの数を選択するようにさらに構成され、ここにおいて、前記パニック状態は、どのくらいの頻度で、前記探索が行われるかを決定し、前記パニック状態は、信号品質メトリックに基づく、請求項２１に記載の装置。
【請求項２３】
近傍セルの測定に関して、前記１つまたは複数のアクションを取るための前記手段は、時間ウィンドウの間、複数の測定を介して、時間にわたる最大基準信号受信電力（ＲＳＲＰ）を選択するように構成される、請求項１５に記載の装置。
【請求項２４】
前記１つまたは複数のアクションを取るための前記手段は、
サブフレームの第１のグループに関する基準信号受信電力（ＲＳＲＰ）を測定することと、
サブフレームの第２のグループに関するＲＳＲＰを測定することと、
第１のアンテナに関するＲＳＲＰとしてサブフレームの前記第１のグループに関する前記ＲＳＲＰを報告することと、
第２のアンテナに関するＲＳＲＰとしてサブフレームの前記第２のグループに関する前記ＲＳＲＰを報告することと
を行うようにさらに構成される、請求項２３に記載の装置。
【請求項２５】
前記ＵＥが不連続受信（ＤＲＸ）モードにあるとき、１つまたは複数のアクションを取るための前記手段は、前記ＵＥのパニック状態に、少なくとも部分的に基づいて、前記測定が行われる前記時間ウィンドウの長さを選択するようにさらに構成され、ここにおいて、前記パニック状態は、どのくらいの頻度で、前記測定が行われるかを決定し、前記パニック状態は、信号品質メトリックに基づく、請求項２３に記載の装置。
【請求項２６】
１つまたは複数のアクションを取るための前記手段は、前記探索を行うためのＨＦの１つまたは複数の部分の周期性を選択するように構成される、請求項１５に記載の装置。
【請求項２７】
前記周期性は、低いドップラーにあるＵＥに関して、より少ない数のＨＦと共に増やされるか、または
前記周期性は、高いドップラーにあるＵＥに関して、より多くのＨＦと共に減らされる、請求項２６に記載の装置。
【請求項２８】
前記１つまたは複数のアクションを取るための前記手段は、異なるアンテナに対する値を表すために時間的に多様な値を用いるように構成される、請求項１５に記載の装置。
【請求項２９】
単一受信アンテナを有するユーザ機器（ＵＥ）によるワイヤレス通信のための装置であって、
１つまたは複数のモビリティプロシージャを行いながら、１つまたは複数のセルによって送信された同期信号を探索することと、
同期信号の検出および近傍セルの測定を強化するために、１つまたは複数のアクションを取ること、ここにおいて、前記取られる１つまたは複数のアクションは、行われるモビリティプロシージャのタイプに少なくとも部分的に依存する、と
を行うように構成された少なくとも１つのプロセッサと、
前記少なくとも１つのプロセッサと結合されたメモリと
を備える、装置。
【請求項３０】
非一時的コンピュータ読取り可能媒体であって、
１つまたは複数のモビリティプロシージャを行いながら、１つまたは複数のセルによって送信された同期信号を探索することと、
同期信号の検出および近傍セルの測定を強化するために、１つまたは複数のアクションを取ること、ここにおいて、前記取られる１つまたは複数のアクションは、行われるモビリティプロシージャのタイプに少なくとも部分的に依存する、と
を行うための１つまたは複数の命令を備える、非一時的コンピュータ読取り可能媒体。
【発明の詳細な説明】
【米国特許法第１１９条に基づく優先権の主張】
【０００１】
[0001]本願は、２０１５年８月２６日に出願された米国特許仮出願第６２／２１０，４１７号の利益を主張する、２０１６年８月９日に出願された米国特許出願第１５／２３２，４４９号の優先権を主張し、それらは、両方ともそれら全体が参照により本明細書に組み込まれている。
【技術分野】
【０００２】
[0002]本開示のある特定の態様は一般に、ワイヤレス通信に関し、より具体的には、単一受信（ＲＸ）ロングタームエボリューション（ＬＴＥ（登録商標））のモビリティ強化（enhancements）に関する。
【背景技術】
【０００３】
[0003]ワイヤレス通信システムは、音声、データなどの様々なタイプの通信コンテンツを提供するために広く展開されている。これらのシステムは、利用可能なシステムリソース（例えば、帯域幅および送信電力）を共有することによって複数のユーザとの通信をサポートすることが可能な多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ（登録商標））ロングタームエボリューション（ＬＴＥ）／ＬＴＥアドバンストシステムおよび直交周波数分割多元接続（ＯＦＤＭＡ）システムを含む。
【０００４】
[0004]一般に、ワイヤレス多元接続通信システムは、複数のワイヤレス端末のための通信を同時にサポートすることができる。各端末は、順方向リンクおよび逆方向リンク上での送信を介して１つまたは複数の基地局と通信する。順方向リンク（すなわちダウンリンク）は、基地局から端末への通信リンクを指し、逆方向リンク（すなわちアップリンク）は、端末から基地局への通信リンクを指す。この通信リンクは、単一入力単一出力、多入力単一出力、または多入力多出力（ＭＩＭＯ）システムを介して確立され得る。
【０００５】
[0005]ワイヤレス通信ネットワークは、複数のワイヤレスデバイスのための通信をサポートすることができる複数の基地局を含み得る。ワイヤレスデバイスは、ユーザ機器（ＵＥ）を含み得る。ＵＥのいくつかの例は、セルラフォン、スマートフォン、携帯情報端末（ＰＤＡ）、ワイヤレスモデム、バンドヘルドデバイス、タブレット、ラップトップコンピュータ、ノートブック、スマートブック、ウルトラブックなどを含み得る。いくつかのＵＥは、マシンタイプ通信（ＭＴＣ：machine-type communication）のＵＥと見なされ得、それらは、基地局、別の遠隔デバイス、またはいくつかの他のエンティティと通信し得る、センサ、メータ、ロケーションタグなどのような遠隔デバイスを含み得る。マシンタイプ通信（ＭＴＣ）は、通信の少なくとも一端に少なくとも１つの遠隔デバイスを伴う（involving）通信を指し得、ヒューマンインタラクション（human interaction）を必ずしも必要としない１つまたは複数のエンティティを伴うデータ通信の形態を含み得る。ＭＴＣ  ＵＥは、例えば、公衆地上移動通信網（ＰＬＭＮ：Public Land Mobile Networks）を通じて、ＭＴＣサーバおよび／または他のＭＴＣデバイスとのＭＴＣ通信が可能であるＵＥを含み得る。いくつかのＵＥは、「ウェアラブル（wearables）」と考えられ得る。ウェアラブルは、ユーザによって着用され得るワイヤレスデバイスを含み得る。ウェアラブルは、電力およびエリア制約（area constraint）を有し得る。ＭＴＣ  ＵＥおよびウェアラブルのような、ある特定のＵＥは、単一ＲＸチェーン（a single RX chain）のみを有し得る。
【０００６】
[0006]さほど頻繁ではない通信があるＭＴＣデバイスおよび制限された電力とエリアを有するウェアラブルのようなある特定のデバイスのカバレッジを強化する（enhance）ために、リンクバジェットの強化に関する技法が所望される。
【発明の概要】
【０００７】
[0007]本開示のシステム、方法、およびデバイスは各々、幾つかの態様を有し、これらのうちのいずれも、それの望ましい属性を単独で担うものではない。後続する特許請求の範囲によって表されるこの開示の範囲を限定することなしに、ここでいくつかの特徴が簡潔に論述される。この考察（discussion）を考慮した後に、および特に「詳細な説明」と題されたセクションを読んだ後に、当業者は、どのように本開示の特徴がワイヤレスネットワークにおける改善された通信を含む利点を提供するのか、を理解するだろう。
【０００８】
[0008]本開示のある特定の態様は、単一受信機（ＲＸ）デバイスのモビリティを強化するための技法および装置を提供する。
【０００９】
[0009]本開示のある特定の態様は、単一受信アンテナまたは受信チェーンを有するユーザ機器（ＵＥ）によるワイヤレス通信のための方法を提供する。方法は、一般に、１つまたは複数のモビリティプロシージャを行いながら、１つまたは複数のセルによって送信された同期信号を探索することと、同期信号の検出を強化するために、１つまたは複数のアクションを取ることとを含み、ここにおいて、取られる１つまたは複数のアクションは、行われるモビリティプロシージャのタイプに、少なくとも部分的に依存する。
【００１０】
[0010]本開示のある特定の態様は、単一受信アンテナを有するユーザ機器（ＵＥ）によるワイヤレス通信のための装置を提供する。装置は、一般に、１つまたは複数のモビリティプロシージャを行いながら、１つまたは複数のセルによって送信された同期信号を探索するための手段と、同期信号の検出を強化するために、１つまたは複数のアクションを取るための手段とを含み、ここにおいて、取られる１つまたは複数のアクションは、行われるモビリティプロシージャのタイプに、少なくとも部分的に依存する。
【００１１】
[0011]本開示のある特定の態様は、単一受信アンテナを有するユーザ機器（ＵＥ）によるワイヤレス通信のための装置を提供する。装置は、一般に、１つまたは複数のモビリティプロシージャを行いながら、１つまたは複数のセルによって送信された同期信号を探索することと、同期信号の検出を強化するために、１つまたは複数のアクションを取ることとを行うように構成された少なくとも１つのプロセッサを含み、ここにおいて、取られる１つまたは複数のアクションは、行われるモビリティプロシージャのタイプに、少なくとも部分的に依存する。装置はまた、一般に、少なくとも１つのプロセッサと結合されたメモリを含む。
【００１２】
[0012]本開示のある特定の態様は、単一受信アンテナを有するユーザ機器（ＵＥ）によるワイヤレス通信のための非一時的コンピュータ読取り可能媒体を提供する。非一時的コンピュータ読取り可能媒体は、一般に、１つまたは複数のモビリティプロシージャを行いながら、１つまたは複数のセルによって送信された同期信号を探索することと、同期信号の検出を強化するために、１つまたは複数のアクションを取ることとを行うための命令を含み、ここにおいて、取られる１つまたは複数のアクションは、行われるモビリティプロシージャのタイプに、少なくとも部分的に依存する。
【００１３】
[0013]方法、装置、システム、コンピュータプログラム製品、および処理システムを含め、数多くの他の態様が提供される。
【００１４】
[0014]先述のおよび関連する目的の達成に向けて、１つまたは複数の態様は、以下で十分に説明され、請求項において具体的に指摘される特徴を備える。以下の説明および添付図面は、１つまたは複数の態様のある特定の例示的な特徴を詳細に記載する。しかしながら、これらの特徴は、様々な態様の原理が用いられ得る様々なやり方のうちのほんの少数を示し、本説明は、全てのこのような態様およびそれらの同等物を含むように意図される。
【図面の簡単な説明】
【００１５】
[0015]本開示の上記された特徴が詳細に理解されることができるように、上記において簡潔に要約されたより詳細な説明が態様への参照によりなされ得、それらのうちのいくつかは、添付された図面内において例示される。しかしながら、添付された図面は、この開示のある特定の典型的な態様のみを例示しており、したがって、その説明が他の同等に効果的な態様を認め得ることから、それの範囲を限定していると考えられるべきではないことを留意されたい。
【図１】[0016]図１は、本開示のある特定の態様に従った、ワイヤレス通信ネットワークの例を概念的に図示するブロック図である。
【図２】[0017]図２は、本開示のある特定の態様に従った、ワイヤレス通信ネットワークにおいてユーザ機器（ＵＥ）と通信している基地局の例を概念的に図示するブロック図を示す。
【図３】[0018]図３は、本開示のある特定の態様に従った、ワイヤレス通信ネットワークにおけるフレーム構造の例を概念的に図示するブロック図である。
【図４】[0019]図４は、通常のサイクリックプレフィクス（normal cyclic prefix）を有する２つの例となるサブフレームフォーマットを概念的に図示するブロック図である。
【図４Ａ】[0020]図４Ａは、ＬＴＥにおけるアップリンク（ＵＬ）フレーム構造の例を例示する図である。
【図５】[0021]図５は、本開示のある特定の態様に従った、ＵＥによるワイヤレス通信に関する例となる動作のフロー図である。
【図６】[0022]図６は、本開示のある特定の態様に従った、単一受信デバイスのための近傍セル（neighbor cell）探索に関する様々な動作の状態および関連付けられたパラメータの表を例示する。
【図７】[0023]図７は、本開示のある特定の態様に従った、単一受信デバイスに関する近傍セル測定に関する様々な動作の状態および関連付けられたパラメータの表を例示する。
【００１６】
[0024]理解を容易にするために、同一の参照番号が、可能な場合、図面に共通である同一の要素を指定するために使用されている。１つの実施形態において開示される要素は、具体的な記載なしに他の実施形態に有益に利用され得ることが企図される。
【詳細な説明】
【００１７】
[0025]本開示の態様は、ロングタームエボリューション（ＬＴＥ）のための単一受信機を有する、マシンタイプ通信（ＭＴＣ）ユーザ機器（ＵＥ）、ウェアラブルデバイス、および／またはＵＥのようなある特定のデバイスと、基地局との間の効果的な通信を可能にすることを手助けし得る技法を提供する。より具体的には、本開示の態様は、単一ＲＸデバイスのモビリティを強化することに関する技法を提供する。
【００１８】
[0026]本開示の様々な態様が、添付の図面を参照して以下でより十分に説明される。しかしながら、本開示は、多くの異なる形態で具現化され得、本開示の全体にわたって提示される任意の特定の構造または機能に限定されるものとして解釈されるべきではない。むしろ、これらの態様は、本開示が十分かつ完全であり、当業者に本開示の範囲を十分に伝えるように提供される。ここでの教示に基づき、当業者は、本開示の範囲が、本開示のその他任意の態様と組み合わされてインプリメントされようと、または、それから独立してインプリメントされようと、ここに開示される開示の任意の態様をカバーするように意図されていることを理解すべきである。例えば、本明細書で述べられる任意の数の態様を使用して、装置がインプリメントされ得るか、または方法が実施され得る。加えて、本開示の範囲は、本明細書で述べられる本開示の様々な態様の他に、または本開示の様々な態様に加えて、他の構造、機能性、または構造および機能性を使用して実施されるそのような装置または方法をカバーするように意図されている。本明細書で開示される開示のいずれの態様も、請求項の１つまたは複数の要素によって具現化され得ることは理解されるべきである。
【００１９】
[0027]「例となる（exemplary）」という用語は、ここで、「例、実例、または例示を提供する」という意味で使用される。「例となる」ものとしてここに説明される任意の態様は、必ずしも、他の態様よりも好ましいまたは有利であるようには解釈されるべきでない。
【００２０】
[0028]特定の態様がここに説明されるが、これらの態様の多くの変形および置換（permutations）が、本開示の範囲内に含まれ得る。好ましい態様のいくつかの利益および利点が言及されるが、本開示の範囲は、特定の利益、使用、または、目的に限定されることを意図されていない。むしろ、本開示の態様は、異なるワイヤレス技術、システム構成、ネットワーク、および送信プロトコルに広く適用可能であるように意図されており、そのうちのいくつかは、図面において、および好ましい態様の以下の説明において、例として例示される。詳細な説明および図面は、添付の請求項およびそれらの同等物によって定義される本開示の範囲を限定するよりもむしろ本開示を単に例示しているに過ぎない。
【００２１】
[0029]ここに説明される技法は、ＣＤＭＡ、ＴＤＭＡ、ＦＤＭＡ、ＯＦＤＭＡ、ＳＣ−ＦＤＭＡ、および他のネットワークのような様々なワイヤレス通信ネットワークに関して使用され得る。「ネットワーク」および「システム」という用語は、交換可能に使用されることが多い。ＣＤＭＡネットワークは、ユニバーサル地上無線アクセス（ＵＴＲＡ）、ｃｄｍａ２０００、などのような無線技術をインプリメントし得る。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他の変形物を含む。Ｃｄｍａ２０００は、ＩＳ−２０００、ＩＳ−９５、およびＩＳ−８５６規格をカバーする。ＴＤＭＡネットワークは、モバイル通信のためのグローバルシステム（ＧＳＭ（登録商標））のような無線技術をインプリメントし得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ、等のような無線技術をインプリメントし得る。ＵＴＲＡおよびＥ−ＵＴＲＡは、ユニバーサルモバイル通信システム（ＵＭＴＳ）の一部である。３ＧＰＰロングタームエボリューション（ＬＴＥ）およびＬＴＥ−アド−バンスト（ＬＴＥ−Ａ）は、周波数分割複信（ＦＤＤ）および時分割複信（ＴＤＤ）の両方において、ダウンリンク上ではＯＦＤＭＡを用い、アップリンク上ではＳＣ−ＦＤＭＡを用いる、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ（登録商標））という名称の団体からの文書において説明されている。Ｃｄｍａ２０００およびＵＭＢは、「第３世代パートナーシッププロジェクト２」（３ＧＰＰ２）という名称の団体からの文書において記載されている。ここに説明される技法は、上記で言及されたワイヤレスネットワークおよび無線技術、ならびに他のワイヤレスネットワークおよび無線技術に関して使用され得る。明瞭さのために、これら技法のある特定の態様は、ＬＴＥ／ＬＴＥ−アドバンストについて以下に説明され、ＬＴＥ／ＬＴＥ−アドバンスト用語は、以下の説明の大部分で使用される。ＬＴＥおよびＬＴＥ−Ａは、一般に、ＬＴＥと呼ばれる。
【００２２】
例となるワイヤレス通信システム
[0030]図１は、本開示の態様が実施され得る、例となるワイヤレス通信ネットワーク１００を例示する。例えば、ここで提示される技法は、図１に示されるユーザ機器（ＵＥ）および基地局（ＢＳ）が通信することを手助けするために使用され得る。例えば、ｅＮＢ１１０は、ＵＥ１２０からＵＥ−カテゴリのインジケーションを受信し得、示されるＵＥ−カテゴリに基づいて、ＵＥ１２０において受信機の数を仮定し得る。ＢＳ１１０は、次いで、ＵＥ１２０における受信機の数に基づいて、送信パラメータを決定し得る。追加的または代替的に、ＵＥ１２０は、ここに説明される単一受信（ＲＸ）ロングタームエボリューション（ＬＴＥ）のモビリティ強化を用い得る。
【００２３】
[0031]ネットワーク１００は、ＬＴＥネットワークまたは何らかの他のワイヤレスネットワークであり得る。ワイヤレスネットワーク１００は、複数の発展型ノードＢ（ｅＮＢ）１１０および他のネットワークエンティティを含み得る。ｅＮＢは、ユーザ機器（ＵＥ）と通信するエンティティであり、また、基地局、ノードＢ、アクセスポイント、などとも呼ばれ得る。各ｅＮＢは、特定の地理的エリアのための通信カバレッジを提供し得る。３ＧＰＰでは、「セル」という用語は、この用語が使用されるコンテクストに応じて、ｅＮＢのカバレッジエリアおよび／またはこのカバレッジエリアにサービス提供するｅＮＢサブシステムを指すことができる。
【００２４】
[0032]ｅＮＢは、マクロセル、ピコセル、フェムトセル、および／または他のタイプのセルに対して通信カバレッジを提供し得る。マクロセルは、比較的大きい地理的エリア（例えば、半径数キロメートル）をカバーし得、サービスに加入しているＵＥによる無制限のアクセスを可能にし得る。ピコセルは、比較的小さい地理的エリアをカバーし得、サービスに加入しているＵＥによる無制限のアクセスを可能にし得る。フェムトセルは、比較的小さい地理的エリア（例えば、自宅）をカバーし得、フェムトセルとの関連性を有するＵＥ（例えば、限定加入者グループ（ＣＳＧ）におけるＵＥ）による制限付きアクセスを可能にし得る。マクロセルのためのｅＮＢは、マクロｅＮＢと呼ばれ得る。ピコセルのためのｅＮＢは、ピコｅＮＢと呼ばれ得る。フェムトセルのためのｅＮＢは、フェムトｅＮＢまたはホームｅＮＢ（ＨｅＮＢ）と呼ばれ得る。図１に示される例では、ｅＮＢ１１０ａは、マクロセル１０２ａのためのマクロｅＮＢであり得、ｅＮＢ１１０ｂは、ピコセル１０２ｂのためのピコｅＮＢであり得、ｅＮＢ１１０ｃは、フェムトセル１０２ｃのためのフェムトｅＮＢであり得る。ｅＮＢは、１つまたは複数の（例えば、３つの）セルをサポートし得る。「ｅＮＢ」、「基地局」および「セル」という用語は、ここで交換可能に用いられ得る。
【００２５】
[0033]ワイヤレスネットワーク１００はまた中継局を含み得る。中継局は、アップストリーム局（例えば、ｅＮＢまたはＵＥ）からデータの送信を受信し、このデータの送信をダウンストリーム局（例えば、ＵＥまたはｅＮＢ）に送ることができるエンティティである。中継局はまた、他のＵＥに対する送信を中継することができるＵＥであり得る。図１に示される例において、中継局１１０ｄは、ｅＮＢ１１０ａとＵＥ１２０ｄの間の通信を容易にするために、マクロｅＮＢ１１０ａおよびＵＥ１２０ｄと通信し得る。中継局は、中継ｅＮＢ、中継基地局、リレーなどと呼ばれることもある。
【００２６】
[0034]ワイヤレスネットワーク１００は、例えば、マクロｅＮＢ、ピコｅＮＢ、フェムトｅＮＢ、中継ｅＮＢ、などのような、異なるタイプのｅＮＢを含む異機種ネットワークであり得る。これらの異なるタイプのｅＮＢは、ワイヤレスネットワーク１００において、異なる送信電力レベル、異なるカバレッジエリア、および干渉に対する異なる影響を有し得る。例えば、マクロｅＮＢは、高い送信電力レベル（例えば、５〜４０ワット）を有し得、一方で、ピコｅＮＢ、フェムトｅＮＢ、および中継ｅＮＢは、より低い送信電力レベル（例えば、０．１〜２ワット）を有し得る。
【００２７】
[0035]ネットワークコントローラ１３０は、ｅＮＢのセットに結合し得、これらのｅＮＢに対して協調（coordination）および制御を提供し得る。ネットワークコントローラ１３０は、バックホールを介してｅＮＢと通信し得る。これらｅＮＢはまた、例えば、ワイヤレスまたはワイヤラインバックホールを介して直接的または間接的に、互いに通信し得る。
【００２８】
[0036]ＵＥ１２０（例えば、１２０ａ、１２０ｂ、１２０ｃ、１２０ｄ）は、ワイヤレスネットワーク１００全体にわたって分布され得、各ＵＥは、固定またはモバイルであり得る。ＵＥはまた、アクセス端末、端末、モバイル局、加入者ユニット、局などとも呼ばれ得る。ＵＥは、セルラフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、スマートフォン、ネットブック、スマートブック、ウルトラブックなどであり得る。態様において、ＵＥは、ＭＴＣデバイスまたはウェアラブルデバイスを含み得る。態様において、ＵＥは、単一受信ＵＥまたは単一受信機をもつＵＥであり得る。図１において、両矢印付きの実線は、ＵＥと、ダウンリンクおよび／またはアップリンク上でＵＥにサービス提供するように指定されたｅＮＢである、サービングｅＮＢとの間の所望の送信を示す。両矢印付きの破線は、ＵＥとｅＮＢとの間の潜在的に干渉する送信を示す。
【００２９】
[0037]図２は、基地局／ｅＮＢ１１０およびＵＥ１２０のブロック図を示し、それらは、図１における基地局／ｅＮＢのうちの１つおよびＵＥのうちの１つであり得る。基地局１１０は、Ｔ個のアンテナ２３４ａ〜２３４ｔが装備され得、ＵＥ１２０は、Ｒ個のアンテナ２５２ａ〜２５２ｒが装備され得、ここで、一般に、Ｔ≧１およびＲ≧１である。
【００３０】
[0038]基地局１１０において、送信プロセッサ２２０は、１つまたは複数のＵＥのためにデータソース２１２からデータを受信し、ＵＥから受信されたＣＱＩに基づいて、各ＵＥごとに１つまたは複数の変調およびコーディングスキーム（ＭＣＳ）を選択し、各ＵＥごとにデータを、そのＵＥのために選択された（１つまたは複数の）ＭＣＳに基づいて処理（例えば、符号化および変調）し、全てのＵＥのためのデータシンボルを提供し得る。送信プロセッサ２２０はまた、（例えば、ＳＲＰＩなどについての）システム情報および制御情報（例えば、ＣＱＩ要求、許可、上位レイヤシグナリングなど）を処理し、オーバヘッドシンボルおよび制御シンボルを提供し得る。プロセッサ２２０はまた、基準信号（例えば、ＣＲＳ）および同期信号（例えば、ＰＳＳおよびＳＳＳ）のための基準シンボルを生成し得る。送信（ＴＸ）多入力多出力（ＭＩＭＯ）プロセッサ２３０は、適用可能な場合、データシンボル、制御シンボル、オーバヘッドシンボル、および／または基準シンボルに対して空間処理（例えば、プリコーディング）を行い得、Ｔ個の変調器（ＭＯＤ）２３２ａ〜２３２ｔにＴ個の出力シンボルストリームを提供し得る。各変調器２３２は、（例えば、ＯＦＤＭなどのために）それぞれの出力シンボルストリームを処理して、出力サンプルストリームを取得し得る。各変調器２３２は、この出力サンプルストリームをさらに処理（例えば、アナログ変換、増幅、フィルタリング、およびアップコンバート）して、ダウンリンク信号を取得し得る。変調器２３２ａ〜２３２ｔからのＴ個のダウンリンク信号は、それぞれ、Ｔ個のアンテナ２３４ａ〜２３４ｔを介して送信され得る。
【００３１】
[0039]ＵＥ１２０において、アンテナ２５２ａ〜２５２ｒは、基地局１１０および／または他の基地局からダウンリンク信号を受信し得、受信された信号をそれぞれ復調器（ＤＥＭＯＤ）２５４ａ〜２５４ｒに提供し得る。各復調器２５４は、それの受信された信号を調整（例えば、フィルタリング、増幅、ダウンコンバート、およびデジタル化）して、入力サンプルを取得し得る。各復調器２５４は、（例えば、ＯＦＤＭなどのために）これら入力サンプルをさらに処理して、受信されたシンボルを取得し得る。ＭＩＭＯ検出器２５６は、Ｒ個全ての復調器２５４ａ〜２５４ｒから、受信されたシンボルを取得し得、適用可能な場合、これら受信されたシンボルに対してＭＩＭＯ検出を行い得、検出されたシンボルを提供し得る。受信プロセッサ２５８は、検出されたシンボルを処理（例えば、復調および復号）し、ＵＥ１２０のための復号されたデータをデータシンク２６０に提供し、復号された制御情報およびシステム情報をコントローラ／プロセッサ２８０に提供し得る。チャネルプロセッサは、ＲＳＲＰ、ＲＳＳＩ、ＲＳＲＱ、ＣＱＩなどを決定し得る。態様において、チャネルプロセッサは、受信プロセッサ２５８および／またはコントローラ／プロセッサ２８０に含まれ得る。
【００３２】
[0040]アップリンク上では、ＵＥ１２０において、送信プロセッサ２６４は、データソース２６２からのデータ、およびコントローラ／プロセッサ２８０からの（例えば、ＲＳＲＰ、ＲＳＳＩ、ＲＳＲＱ、ＣＱＩなどを備える報告のための）制御情報を受信し、処理し得る。送信プロセッサ２６４はまた、１つまたは複数の基準信号に関して基準シンボルを生成し得る。送信プロセッサ２６４からのシンボルは、適用可能な場合、ＴＸ  ＭＩＭＯプロセッサ２６６によってプリコーディングされ、（例えば、ＳＣ−ＦＤＭ、ＯＦＤＭなどのために）変調器２５４ａ〜２５４ｒによってさらに処理され、基地局１１０に送信され得る。基地局１１０において、ＵＥ１２０および他のＵＥからのアップリンク信号は、アンテナ２３４によって受信され、復調器２３２によって処理され、適用可能な場合、ＭＩＭＯ検出器２３６によって検出され、受信プロセッサ２３８によってさらに処理されて、ＵＥ１２０によって送られた、復号されたデータおよび制御情報が取得され得る。受話プロセッサ２３８は、復号されたデータをデータシンク２３９に提供し、復号された制御情報をコントローラ／プロセッサ２４０に提供し得る。基地局１１０は、通信ユニット２４４を含み得、通信ユニット２４４を介してネットワークコントローラ１３０へ通信し得る。ネットワークコントローラ１３０は、通信ユニット２９４、コントローラ／プロセッサ２９０、およびメモリ２９２を含み得る。
【００３３】
[0041]コントローラ／プロセッサ２８０は、ＵＥ１２０における動作を指示し得る。例えば、ＵＥ１２０における、コントローラ／プロセッサ２８０および／または他のプロセッサ、コンポーネント、および／またはモジュールは、図５に示される動作５００を行い得、または指示し得る。メモリ２４２および２８２は、ＵＥ１２０のためのデータおよびプログラムコードを記憶し得る。いくつかの態様において、図２に示される任意のコンポーネントのうちの１つまたは複数は、ここに説明される技法のための例となる処理５００および／または他のプロセスを行うために用いられ得る。
【００３４】
[0042]図３は、ＬＴＥにおけるＦＤＤのための例となるフレーム構造３００を示す。ダウンリンクおよびアップリンクの各々に関する送信タイムライン（transmission timeline）は、無線フレームの単位に分割され得る。各無線フレームは、所定の持続時間（例えば、１０ミリ秒（ｍｓ））を有し得、０〜９のインデックスを有する１０個のサブフレームに分割され得る。各サブフレームは、２つのスロットを含み得る。よって、各無線フレームは、０〜１９のインデックスを有する２０個のスロットを含み得る。各スロットは、Ｌ個のシンボル期間、例えば、（図３に示されるような）通常のサイクリック・プレフィックス（a normal cyclic prefix）に関する７個のシンボル期間、または拡張されたサイクリック・プレフィックス（an extended cyclic prefix）に関する６個のシンボル期間を含み得る。各サブフレームにおける２Ｌ個のシンボル期間には、０〜２Ｌ−１のインデックスを割り当てられ得る。
【００３５】
[0043]ＬＴＥでは、ｅＮＢは、ｅＮＢによってサポートされる各セルごとに、システム帯域幅の中心におけるダウンリンク上でプライマリ同期信号（ＰＳＳ）およびセカンダリ同期信号（ＳＳＳ）を送信し得る。ＰＳＳおよびＳＳＳは、図３に示されるように、通常のサイクリックプレフィクスを有する各無線フレームのサブフレーム０および５における、それぞれ、シンボル期間６および５において送信され得る。ＰＳＳおよびＳＳＳは、セルの探索および獲得（cell search and acquisition）のためにＵＥによって使用され得る。ｅＮＢは、ｅＮＢによってサポートされる各セルごとに、システム帯域幅にわたってセル固有基準信号（ＣＲＳ）を送信し得る。ＣＲＳは、各サブフレームのある特定のシンボル期間で送信され得、チャネル推定、チャネル品質測定、および／または他の機能を行うためにＵＥによって使用され得る。ｅＮＢはまた、ある特定の無線フレームのスロット１におけるシンボル期間０〜３において、物理ブロードキャストチャネル（ＰＢＣＨ）を送信し得る。ＰＢＣＨは、何らかのシステム情報を搬送し得る。ｅＮＢは、ある特定のサブフレームにおける物理ダウンリンク共有チャネル（ＰＤＳＣＨ）上でシステム情報ブロック（ＳＩＢ）のような他のシステム情報を送信し得る。ｅＮＢは、サブフレームの最初のＢ個のシンボル期間における物理ダウンリンク制御チャネル（ＰＤＣＣＨ）上で制御情報／データを送信し得、ここで、Ｂは、各サブフレームごとに設定可能（configurable）であり得る。ｅＮＢは、各サブフレームの残りのシンボル期間におけるＰＤＳＣＨ上でトラフィックデータおよび／または他のデータを送信し得る。態様において、上記に記載された信号および／またはチャネルのうちの１つまたは複数は、異なる時間および／または周波数リソースで送信され得る。
【００３６】
[0044]図４は、通常のサイクリックプレフィクスを有する２つの例となるサブフレームフォーマット４１０および４２０を示す。利用可能な時間周波数リソースは、複数のリソースブロックに分割され得る。各リソースブロックは、１つのスロットにおいて１２個のサブキャリアをカバーし得、いくつかのリソースエレメントを含み得る。各リソースエレメントは、１つのシンボル期間において１つのサブキャリアをカバーし得、１つの変調シンボルを送るために使用され得、それは、実数値または複素数値であり得る。
【００３７】
[0045]サブフレームフォーマット４１０は、２つのアンテナに対して使用され得る。ＣＲＳは、シンボル期間０、４、７および１１において、アンテナ０および１から送信され得る。基準信号は、送信機および受信機によってアプリオリに知られている信号であり、また、パイロットと呼ばれ得る。ＣＲＳは、例えば、セル識別（ＩＤ）に基づいて生成された、セルに固有の基準信号である。図４では、ラベルＲａを有する所与のリソースエレメントについて、アンテナａから、そのリソースエレメント上で変調シンボルが送信され得、他のアンテナからは、何れの変調シンボルもそのリソースエレメント上では送信されない可能性がある。サブフレームフォーマット４２０は、４つのアンテナで使用され得る。ＣＲＳは、シンボル期間０、４、７および１１においてアンテナ０および１から、およびシンボル期間１および８においてアンテナ２および３から送信され得る。サブフレームフォーマット４１０および４２０の両方について、ＣＲＳは、均等に間隔が空けられたサブキャリア上で送信され得、それは、セルＩＤに基づいて決定され得る。ＣＲＳは、それらのセルＩＤに応じて、同じまたは異なるサブキャリア上で送信され得る。サブフレームフォーマット４１０および４２０の両方について、ＣＲＳに関して使用されないリソースエレメントは、データ（例えば、トラフィックデータ、制御データ、および／または他のデータ）を送信するために使用され得る。
【００３８】
[0046]ＬＴＥにおけるＰＳＳ、ＳＳＳ、ＣＲＳおよびＰＢＣＨは、「Evolved Universal Terrestrial Radio Access (E-UTRA);Physical Channels and Modulation」と題された、３ＧＰＰ  ＴＳ  ３６．２１１で説明されており、これは公に入手可能である。
【００３９】
[0047]インターレース構造は、ＬＴＥにおけるＦＤＤに関するダウンリンクおよびアップリンクの各々に関して使用され得る。例えば、０〜Ｑ−１のインデックスをもつＱ個のインターレースが定義され得、ここで、Ｑは、４、６、８、１０、または何らかの他の値に等しくなり得る。各インターレースは、Ｑ個のフレームによって間隔を空けられるサブフレームを含み得る。特に、インターレースｑは、サブフレームｑ、ｑ＋Ｑ、ｑ＋２Ｑ、等を含み得、ここで、ｑ∈｛０，．．．，Ｑ-１｝である。
【００４０】
[0048]ワイヤレスネットワークは、ダウンリンクおよびアップリンク上でのデータ送信のためのハイブリッド自動再送要求（ＨＡＲＱ）をサポートし得る。ＨＡＲＱに関して、送信機（例えば、ｅＮＢ）は、パケットが受信機（例えば、ＵＥ）によって正確に復号されるまで、またはいくつかの他の終了条件が遭遇される（encountered）まで、パケットの１つまたは複数の送信を送り得る。同期ＨＡＲＱの場合、パケットの全ての送信が、単一のインターレースのサブフレームで送られ得る。非同期ＨＡＲＱに関して、パケットの各送信は、任意のサブフレームで送られ得る。
【００４１】
[0049]１つのＵＥは、複数のｅＮＢのカバレッジ内に置かれ得る。これらｅＮＢのうちの１つは、ＵＥにサービス提供するために選択され得る。サービングｅＮＢは、受信信号強度、受信信号品質、経路損失（pathloss）、などのような様々な基準に基づいて選択され得る。受信信号品質は、信号対干渉雑音比（ＳＩＮＲ：signal-to-noise-and-interference ratio）、信号対雑音比（ＳＮＲ：signal-to-noise ratio）、基準信号受信品質（ＲＳＲＱ：reference signal received quality）、および／または何らかの他のメトリックによって定量化され得る。ＵＥは、ＵＥが、１つまたは複数の干渉するｅＮＢから高い干渉を観測し得る支配的な干渉シナリオにおいて動作し得る。
【００４２】
[0050]図４Ａは、ＬＴＥにおけるアップリンク（ＵＬ）フレーム構造の例４５０を例示する図である。ＵＬのために利用可能なリソースブロックは、データセクションと制御セクションとに分割され得る。制御セクションは、システム帯域幅の２つのエッジにおいて形成され得、設定可能なサイズを有し得る。制御セクションにおけるリソースブロックは、制御情報の送信のためにＵＥに割り当てられ得る。データセクションは、制御セクションに含まれない全てのリソースブロックを含み得る。ＵＬフレーム構造は、連続したサブキャリアを含むデータセクションをもたらし、それは、単一のＵＥに、データセクションにおける連続したサブキャリアの全てが割り当てられることを可能にし得る。
【００４３】
[0051]ＵＥは、ｅＮＢに制御情報を送信するために、制御セクションにおけるリソースブロック４５０ａ、４５０ｂを割り当てられ得る。ＵＥはまた、ｅＮＢにデータを送信するために、データセクションにおけるリソースブロック４７０ａ、４７０ｂを割り当てられ得る。ＵＥは、制御セクションにおける割り当てられたリソースブロック上の物理ＵＬ制御チャネル（ＰＵＣＣＨ）において、制御情報を送信し得る。ＵＥは、データセクションにおける割り当てられたリソースブロック上の物理ＵＬ共有チャネル（ＰＵＳＣＨ）におけるデータのみ、またはデータと制御情報の両方を送信し得る。ＵＬ送信は、サブフレームの両方のスロットにまたがることが可能であり、周波数にわたってホッピングすることが可能である。
【００４４】
[0052]リソースブロックのセットは、例えば、物理ランダムアクセスチャネル（ＰＲＡＣＨ）４８０において、初期システムアクセスを行い、ＵＬ同期を達成するために使用され得る。しかしながら、追加のおよび／または異なるセットは、用いられ得る。ＰＲＡＣＨ４８０は、ランダムシーケンスを搬送し、いずれのＵＬデータ／シグナリングも搬送することはできない。各ランダムアクセスプリアンブルは、６つの連続するリソースブロックに対応する帯域幅を占有する。開始周波数（starting frequency）は、ネットワークによって指定される。つまり、ランダムアクセスプリアンブルの送信は、ある特定の時間および周波数リソースに制限される。ＰＲＡＣＨに関して周波数ホッピングは存在しない。ＰＲＡＣＨの試みは、（例えば、１ｍｓの）単一のサブフレームにおいて、または少数の連続したサブフレームのシーケンスにおいて搬送され、ＵＥは、（例えば、１０ｍｓの）１フレームごとに単一のＰＲＡＣＨの試みのみを行うことができる。態様において、上記に記載された信号および／またはチャネルのうちの１つまたは複数は、追加のおよび／または異なる時間および／または周波数リソースで送信され得る。
【００４５】
[0053]上記に示されているように、図４は、一例として提供される。他の例は可能であり、図４に関連して上記で説明されたものとは異なり得る。
【００４６】
単一受信のロングタームエボリューションのモビリティ強化
[0054]マシンタイプ通信（ＭＴＣ）デバイス（例えば、ＭＴＣ  ＵＥ）およびウェアラブル（例えば、ユーザによって、着用される、例えば、ワイヤレスデバイス）は、さほど頻繁には送信しないので、ＵＥ−カテゴリ１（ＣＡＴ１）および単一受信機が、ＭＴＣデバイスおよび／またはウェアラブルにとってありふれた選択（common choice）になり得る。単一受信機（例えば、単一Ｒｘチェーン）は、電力消費が単一Ｒｘについて低いので、これらのタイプのデバイスにとって有利であり得る。しかしながら、これらのタイプのデバイスは、単一Ｒｘに関連付けられた空間ダイバーシチの欠乏に起因する著しいパフォーマンスの損失を被り（suffer）得る。したがって、本開示の態様は、上記に説明されたことのような、単一Ｒｘ  ＬＴＥデバイスに関する、初期獲得、近傍セル探索、および／または近傍セル測定のような、モビリティパフォーマンスを強化することに関する技法を提供する。
【００４７】
[0055]図５は、単一受信（ＲＸ）デバイスのモビリティを強化するための例となる動作５００を例示する。ある特定の態様に従うと、動作５００は、例えば、単一受信アンテナを有するＵＥ（例えば、ＵＥ１２０）によって、１つまたは複数のモビリティプロシージャ（例えば、初期獲得プロシージャ、近傍セル探索プロシージャ、および／または近傍セル測定プロシージャ）の間、ＵＥのモビリティを強化するために、行われ得る。
【００４８】
[0056]５０２において、動作５００は、ＵＥが、１つまたは複数のモビリティプロシージャを行いながら、１つまたは複数のセルによって送信された同期信号を探索することによって、開始する。５０４において、ＵＥは、同期信号の検出を強化するために、１つまたは複数のアクションを取り、ここにおいて、取られる１つまたは複数のアクションは、行われるモビリティプロシージャのタイプに、少なくとも部分的に依存する。
【００４９】
[0057]上記に記載されるように、１つまたは複数のモビリティプロシージャは、初期獲得プロシージャ、近傍セル探索プロシージャ、または近傍セル測定プロシージャのうちの１つまたは複数を含み得る。これらのモビリティプロシージャに関する単一受信デバイスのモビリティを強化することに関する技法は、以下により詳細に説明される。
【００５０】
例となる初期獲得の強化
[0058]ある特定の態様に従うと、単一Ｒｘ  ＬＴＥデバイスが、空間ダイバーシチをサポートしない可能性があるが、ＵＥが初期獲得に使用されるプライマリ同期信号（ＰＳＳ）／セカンダリ同期信号（ＳＳＳ）についてモニタする時間リソースまたはハーフフレーム（ＨＦ：half frames）の数を増やすことは、Ｒｘ空間ダイバーシチの損失を時間タイバーシチと取り換え得る。例えば、いくつかの事例において、４つのＨＦを組み合わせること（four HF combining）は、ハーフフレームごと（例えば、５つのサブフレームごと）に起こる（occur）ＰＳＳ／ＳＳＳを伴う初期獲得に使用され得る。しかしながら、ＨＦの数を、例えば、８つのＨＦまで増やすことは、ＵＥがＰＳＳおよび／またはＳＳＳをより良く受信することおよび初期獲得を行うことを可能にし得る。よって、１つの例において、１つまたは複数のアクションを取ることは、単一のＲＸ  ＵＥが、（例えば、そのようなより良い受信およびパフォーマンスのために）ＰＳＳ／ＳＳＳについてＵＥがモニタするＨＦの数を選択することを伴い得る。例えば、ＰＳＳ／ＳＳＳの検出の強化を改善するために、ＵＥは、ＨＦの数（例えば、８）を選択し得、選択された数のＨＦ上で受信されたＰＳＳ／ＳＳＳを組み合わせ得る。
【００５１】
[0059]ある特定の態様に従うと、いくつかの事例において、ＵＥは、初期獲得プロシージャを（例えば、選択された数のＨＦのうちの全てが起こる（occur）前に）早く終え得る。例えば、ＵＥは、それが、組み合わされたＰＳＳ／ＳＳＳに関する信号対雑音比（ＳＮＲ）が、選択された数のＨＦのうちの少なくとも１つのＨＦに関して、しきい値を上回ることを決定する場合、初期獲得プロシージャを早く終え得る。例えば、ＵＥが、組み合わされたＰＳＳ／ＳＳＳに関するＳＮＲが、ある特定の数のＨＦに関してしきい値よりも上回ることを確実に検出する場合、ＵＥは、（例えば、残りの数のＨＦにわたってＰＳＳ／ＳＳＳを組み合わせる必要がないことによって）初期セル獲得および探索プロシージャを早く終えることを決定し得、電力リソースを節約するために、検出されたセルに関してＰＢＣＨを起動し（run）得る。
【００５２】
[0060]追加的に、ＰＳＳおよび／またはＳＳＳのしきい値は、単一Ｒｘデバイスに対して微調整（fine-tuned）され得る。例えば、現在、ＰＳＳおよびＳＳＳのしきい値は、１パーセントのターゲット誤警報率（a target false alarm rate）（Ｐｆａ）を保つために、選択された。しかしながら、Ｐｆａを増やすことは、ＵＥがｅＮＢをより確実に検出することを可能にする検出の確率（probability of detection）（Ｐｄ）を増やし得る。ある特定の態様に従うと、単一Ｒｘに関して、異なるＰｆａターゲットは、異なる獲得モードに対して使用され得る。例えば、周波数スキャンがモバイルデバイス（すなわち、ＵＥ）に記憶された事前の成功した獲得情報を使用して行われ得るリスト周波数探索（ＬＦＳ：a list frequency search）モードに関して、１０％などと高いＰｆａが、獲得時間をわずかに（marginally）ただ増やしながら、検出を改善するために使用され得る。モバイルデバイスにおけるいずれの事前の獲得情報なしに周波数スキャンが行われ得るフル周波数探索（ＦＦＳ：a full frequency search）に関して、１％などとより低いＰｆａが、検出するべき同期信号が全くないかまたは相対的により少ないとき、どのくらい多くの時間がスキャニングに費やされるか（「空のチャネルスキャン時間」）を制御するために使用され得る。したがって、１つまたは複数のアクションを取ることは、ＬＦＳを行うＵＥに基づいてＰＳＳおよびＳＳＳを検出するためのしきい値の第１のセットを（例えば、探索モビリティプロシージャの間）使用することおよび／またはＦＦＳを行うＵＥに基づいてＰＳＳおよびＳＳＳを検出するためのしきい値の第２のセットを使用することを備え得る。
【００５３】
[0061]追加的または代替的に、対角線ローディング（diagonal loading）は、初期獲得を改善するために、単一Ｒｘデバイスによって使用され得る。例えば、現在、（例えば、非単一Ｒｘデバイスの）受信チェーンＲｘ０および受信チェーンＲｘ１に関するＰＳＳの対角線ローディングは、最大エネルギーに基づいて、別々に計算される。ある特定の態様に従うと、単一Ｒｘに関して、Ｒｘ１に起因するいずれの数値問題（numerical issue）を避けるために、Ｒｘ１  ＴＤサンプルがヌルにされる（nulled）場合全てゼロであり得るかまたはＲｘ０  ＴＤサンプルと同じであり得る時間ドメイン（ＴＤ）サンプル、およびＲｘ１対角線ローディングパラメータは、Ｒｘ０対角線ローディングパラメータのそれに設定され得る。よって、ある特定の態様に従うと、単一Ｒｘデバイスによって１つまたは複数のアクションを取ることは、異なる受信アンテナ（例えば、そのようなデバイスが動作を行っていた場合、非単一Ｒｘデバイスの受信アンテナＲｘ０およびＲｘ１）に関して値を表すために、同じ対角線ローディングパラメータ（例えば、時間的に多様な値（time diverse values））を設定すること／用いることを備え得る。
【００５４】
[0062]上記に記されるように、ＨＦの数を増やすことは、ＰＳＳの検出を改善し得る。しかしながら、ＨＦの数を増やすことは、ＳＳＳが、ＰＳＳのように８つのＨＦの組み合わせ（eight HF combining）を享受（enjoy）しないので、ＳＳＳに関して、検出の確率、Ｐｄを改善するには十分ではない可能性がある。代わりに、ある特定の態様に従うと、検出の確率、Ｐｄは、ＳＳＳのしきい値を下げることによって増やされ得る。しかしながら、ＳＳＳのしきい値を下げることは、誤警報率、Ｐｆａを増やし得る。
【００５５】
[0063]現在、しきい値を上回るいずれのＳＳＳのピークは、毎ＨＦの後に、最終候補セルリストに追加され得る。例えば、ピークがこのしきい値をただ一度満たすとしても、それらは、最終候補セルリストに追加される。これは、大部分のスプリアスの（spurious）ピークがしきい値をただ一度満たすことができるので、スプリアスのピークが最終リストに追加されることを意味し、それは、誤検出率を増やし得る。
【００５６】
[0064]しかしながら、ある特定の態様に従うと、誤検出率、Ｐｆａを低減するために、しきい値を一度より多く（例えば、２回）超えるＳＳＳのピークのみが、（例えば、１つのＨＦよりも多いＨＦ（例えば、２つ以上のＨＦ）上で）最終候補セルリストに追加され得る。したがって、例えば、（例えば、探索モビリティプロシージャの間）１つまたは複数のアクションを取ることは、対応する相関ピークが、ＨＦの数のうちの１つより多くのＨＦに関して、しきい値を超える場合にのみ、ＳＳＳの候補を選択することを備え得る。ある特定の態様に従うと、このルールを使用して、検出の確率、Ｐｄは、ＳＳＳのしきい値を下げることによってより低いＰｆａを活用することによって、改善され得る。
【００５７】
[0065]ある特定の態様に従うと、このルールがインプリメントされ得ると仮定すると、数多くのスプリアスのセルが、８つのセルの制限されたリストにおいて正規のセル（legitimate cells）を押し出し（crowd out）得るので、Ｐｄは、ＳＳＳのしきい値が減らされるとき、減らされ得る。ある特定の態様に従うと、正規のセルを押し出すスプリアスのセルの問題に対処するために、候補セルリストサイズは、１２８個のセルに増やされ得る。ある特定の態様に従うと、リストは、（上記のルールにつき）２回以上みられるセルのみを含み得る。態様において、リストにおけるセルは、それらの最大ＳＳＳ信号対雑音比（ＳＮＲ）に基づいて分類（sorted）され得る。
【００５８】
例となる近傍セル探索の強化
[0066]ある特定の態様に従うと、単一Ｒｘデバイスに関する近傍セル探索はまた、（例えば、それ上でＵＥが近傍セル探索を行うことになる）時間リソースまたはＨＦの数を増やすことによって改善され得る。例えば、現在、ギャップのない接続されたモードに関して、１ＨＦおよび２ＨＦは、近傍セル探索モビリティプロシージャにおいて代替的に使用され得る。しかしながら、これと関連付けられた追加の電力消費がない可能性があるので、その間ずっと（all the time）２ＨＦを使用することは、有益であり得る。しかしながら、「ギャップ」事例において、１ＨＦ探索は、依然として、ソフトウェア（例えば、ＦＷ／ＭＬ）のタイムラインの制約に起因して使用され得る。
【００５９】
[0067]ある特定の態様に従うと、ギャップのない接続された不連続受信（ＣＤＲＸ：connected discontinuous reception）モードに関して、１ＨＦは、近傍セル探索のために使用される。しかしながら、電力インパクトを制限するために、態様において、２ＨＦが、（例えば、ただ）軽いパニックおよびパニック状態に関して、近傍セル探索のために使用され得る。
【００６０】
[0068]ある特定の態様に従うと、アイドル不連続受信（ＩＤＲＸ：idle discontinuous reception）−オンラインモードに関して、１ＨＦは、近傍セルに対して使用され得る。しかしながら、ある特定の態様において、２ＨＦが、軽いパニック状態に関して近傍セル探索のために使用され得、４ＨＦが、パニック状態に関して近傍セル探索のために使用され得る。
【００６１】
[0069]よって、ある特定の態様に従うと、例えば、近傍セル探索モビリティプロシージャの間、１つまたは複数のアクションを取ることは、（例えば、ギャップのない接続モード、ギャップのないＣＤＲＸ、ＩＤＲＸ−オンラインなど）ＵＥの動作モードに、少なくとも部分的に基づいて、ＨＦの数を選択することを備え得る。追加的に、ある特定の態様に従うと、ＵＥがＤＲＸモードにあるとき、ＨＦの数は、ＵＥのパニック状態に、さらに少なくとも部分的に基づいて、選択され得、ここにおいて、パニック状態は、信号品質メトリック（例えば、基準信号受信強度、基準信号受信品質、または信号対雑音比）に基づき得、どのくらいの頻度で（how often）近傍セル探索プロシージャが行われるかを決定し得る。
【００６２】
[0070]ある特定の態様に従うと、ＰＳＳおよび／またはＳＳＳのしきい値の微調整は、上記で説明される、初期獲得と同様に、近傍セル探索に有益であり得、それに用いられ得る。追加的または代替的に、対角線ローディング（diagonal loading）は、初期獲得に関して上記に説明されたことと同様に、近傍セル探索を改善するために、単一Ｒｘデバイスによって使用され得る。例えば、対角線ローディングに関して、ＲＸ１対角線ローディングは、ＰＳＳに関するＲＸ０対角線ローディングのそれに設定されることを必要とし得る。
【００６３】
[0071]ある特定の態様に従うと、より長いコヒーレンス時間に起因して、単一ＲＸデバイスをサポートするのに十分な利得が、低いドップラー環境において、ＨＦの数を増やすことを伴うだけでは、予期されない可能性がある。よって、ある特定の態様に従うと、ドップラー、または例えば、基準信号受信電力（ＲＳＲＰ：reference signal receive power）／基準信号受信品質（ＲＳＲＱ：reference signal receive quality）／ＳＮＲなど、信号品質測定値の変化のレートに基づいて、ＵＥは、（例えば、電力を犠牲にすることによって）ＨＦの数ではなく周期性を増やし得る。
【００６４】
[0072]態様において、近傍セル探索に関して、ＨＦにわたるＰＳＳの組み合わせは、行われない可能性がある。結果的に、ＨＦの数を増やすことは、「組み合わせダイバーシチ（combining diversity）」とは対照的に「繰り返しダイバーシチ（repetition diversity）」をただ手助けし得る。したがって、１ＨＦ探索の周期性を２倍にすること（doubling）は、２ＨＦの近傍セル探索と比較して同等なパフォーマンス（comparable performance）を示し得る。ある特定の態様に従うと、近傍セル探索のパフォーマンスを改善するために、周期性またはＨＦの数のいずれかが増やされ得る。電力消費を改善するために、ＨＦの数を増やすことが用いられ得る（例えば、ウォームアップオーバヘッドを最小化するためのＩＤＲＸ−オンラインモード、それは、周期性が代わりに増やされる場合、招かれ（incurred）得る）。態様において、ＩＤＲＸモードにおいて、２ＨＦまたは４ＨＦを使用することが可能であり、それは、ギャップが何も誘発されないタイムラインを有し得る。
【００６５】
[0073]よって、ある特定の態様に従うと、１つまたは複数のアクションを取ることは、近傍セルを探索することを行うための、ＨＦの１つまたは複数の部分の周期性（例えば、１つまたは複数のＨＦのユニットにおける周期性）を選択することを備え得る。いくつかの事例において、周期性は、低いドップラーにあるＵＥに関して、ＨＦのより少ない数と共に増やされ得、または探索周期は、高いドップラーにあるＵＥに関して、より多くのＨＦと共に減らされ得る。
【００６６】
[0074]追加的に、ある特定の態様に従うと、「軽いパニック状態（Light Panic state）」は、例えば、図６に示されるように、周期性の変化なしに、しかし、（例えば、２まで）近傍セルサーチに関してＨＦの数の増加を伴って、ＩＤＲＸ−オンラインに関して、追加され得る。
【００６７】
例となる近傍セル測定の強化
[0075]ＲＸ０およびＲＸ１にわたって最大ＲＳＲＰが選ばれる２Ｒｘデバイスと比較して、１Ｒｘデバイスは、空間ダイバーシチの損失に起因して、ＲＳＲＰを（例えば、著しく）過小評価し得、それは、狭帯域測定において、悪影響を及ぼされ（exacerbated）得る。態様において、１Ｒｘデバイスに関するＲＳＲＰの過小評価を避けるために、時間にわたる最大ＲＳＲＰは、複数の測定を介して選ばれ得、このように、損なわれた空間ダイバーシチを時間的なダイバーシチ（temporal diversity）に取り替える。すなわち、単一のＲＸデバイスに関連付けられた損失した空間ダイバーシチを取り替えるために、ＵＥは、様々な時間期間／ウィンドウの間、複数のＲＳＲＰ測定の中から最大ＲＳＲＰを決定し得る。よって、１つまたは複数のアクションを取ることは、時間ウィンドウの間、複数の測定を介して、時間にわたる最大基準信号受信電力（ＲＳＲＰ）を選択することを備え得る。追加的に、いくつかの事例において、ＵＥが不連続受信（ＤＲＸ）モードにあるとき、その間に（１つまたは複数の）測定が行われる時間ウィンドウの長さは、ＵＥのパニック状態に、少なくとも部分的に基づいて選択され得、ここにおいて、パニック状態は、どのくらいの頻度で、測定が行われるかを決定し、パニック状態は、信号品質メトリックに基づく。
【００６８】
[0076]ある特定の態様に従うと、以下のアルゴリズムは、ＲＳＲＰ推定を改善させるために使用され得る。態様において、以下のアルゴリズムは、１つのセルにつき最小限で２つのサブフレーム測定を用い得るが、１つのセルにつき８つのサブフレーム測定までが用いられ得る。例えば、ある特定の態様に従うと、ＲＳＲＰ推定を改善するために、ＵＥ（例えば、ＵＥのソフトウェア）は、いくつかのサブフレームを２つのグループに分割し（split）得る。その後に、無限インパルス応答（ＩＩＲ：Infinite Impulse Response）フィルタは、各グループ内で別々に、チャネルエネルギー応答をフィルタリングし得る。ある特定の態様に従うと、フィルタリングをしないことは、２つのサブフレーム測定の事例に関して行われ得る。フィルタリングの後に、２つのＲＳＲＰは、サブフレームの２つのグループの各々について１つ、計算され得る。計算されたＲＳＲＰは、存在するＡＰＩを使用して、ＲＸ０およびＲＸ１  ＲＳＲＰとして、戻って報告され（reported back）得る。ある特定の態様に従うと、ＭＬは、次いで、ＲＸ０およびＲＸ１にわたって最大ＲＳＲＰを選び得、ＡＰＩまたはＭＬ変化を何も要求しない。よって、ある特定の態様に従うと、１つまたは複数のアクションを取ることは、サブフレームの第１のグループに関するＲＳＲＰを測定することと、サブフレームの第２のグループに関してＲＳＲＰを測定することと、サブフレームの第１のグループに関するＲＳＲＰを、第１のアンテナ（例えば、Ｒｘ０）に関するＲＳＲＰとして、またはそれを表すために、報告することと、サブフレームの第２のグループに関するＲＳＲＰを、第２のアンテナ（例えば、Ｒｘ１）に関するＲＳＲＰとして、またはそれを表すために、報告することとを備え得る。態様において、そのように報告されたＲＳＲＰは、１Ｒｘデバイス上の２Ｒｘアルゴリズムによって（例えば、パラメータとして）用いられ得る。
【００６９】
[0077]しかしながら、上記の提案／アルゴリズムは、ＲＳＲＰ推定を補正する（correct）ことを確実にするために１つのセルにつき少なくとも２つのサブフレーム測定を必要とし得、それは、全ての事例においては保証されない。よって、本開示の態様は、（潜在的に電力を犠牲にして（at the expense of））ＲＳＲＰ推定を改善するための、１つのセルにつき２つのサブフレーム測定を確実にするための技法を提供する。例えば、接続された、およびＩＤＲＸ−オンラインモードにおいて、ＭＬおよびＦＷは、セルの数に関わらず、１つのセルにつき少なくとも２つのサブフレーム測定を、すでに（already）スケジュールし得る。
【００７０】
[0078]現在、ＣＤＲＸにおいて、「短い」ＯＮ持続時間（例えば、９ｍｓ）で、セルの数が５よりも大きい場合、１つのサブフレーム測定／セル測定が行われ得る。例えば、実際のＯＮ持続時間が測定に必要とされる最短時間（minimum time）よりも少ない場合、ＭＬは「短い」ＯＮ持続時間を構成し得る。しかしながら、実際のＯＮ持続時間が測定のために必要とされる最短時間以上の場合、次いで、ＭＬは、次のギャップまでの時間または実際のＯＮ持続時間の、いずれか少ない方と等しい「長い」ＯＮ持続時間を構成し得る。ある特定の態様に従うと、「長い」ＯＮ持続時間が構成される場合、セルの数に関わらず１つのセルにつき２つのサブフレーム測定が存在する。
【００７１】
[0079]ある特定の態様に従うと、上記に説明されたＲＳＲＰ測定は、改善され得る。すなわち、電力を犠牲にして、ある特定のパニック状態における正確性が改善され得る。例えば、ＣＤＲＸに関して、実際のｏｎ持続時間が、測定のために必要とされる最短時間よりも少ない場合、ＯＮ持続時間は、次のギャップまでの時間または次のソフトウェア報告期間（ＳＷＲＰ：software report period）までの時間の、いずれか少ない方まで、増やされ得る。電力のインパクトを低減および／または最小化するために、ＯＮ持続時間の増加は、ただ、ギャップのある「パニック」状態および「軽いパニック」状態に適用され得、追加的または代替的には、ギャップのある、および、ギャップのないモードに関して新しい「より軽いパニック（Lighter Panic）」状態に適用され得る。
【００７２】
[0080]追加的に、ある特定の態様に従うと、例えば、図７において例示されるような、新しいパニック状態（例えば、「より軽いパニック」状態７０２）は、近傍セル測定の品質を改善するためにＣＤＲＸにおいて使用され得る。ある特定の態様に従うと、「より軽いパニック」状態は、潜在的な新興（fast-rising）近傍セルを追跡するために測定ウィンドウを増やすことによって、０と３ｄＢ  ＳＮＲとの間、すなわち０ｄＢ＜＝ＳＮＲ＜３ｄＢの測定品質を増やし得る。追加的に、「より軽いパニック（Lighter Panic）」状態について、ＨＦＮの数は、１であり得、周期性は、２００ｍｓであり得る。さらに、ある特定の態様に従うと、ドップラー、またはＲＳＲＰ、ＲＳＲＱ、および／またはＳＮＲの変化のレートに基づいて、ＵＥは、測定の周期性を増やし得る。
【００７３】
[0081]ある特定の態様に従うと、ここで提供される技法は、単一受信チェーンを有する（例えば、単一受信アンテナのみを有する）デバイスのモビリティパフォーマンスを強化し得る。ある特定の態様に従うと、上の技法のいずれの組合せも使用され得る。
【００７４】
[0082]ここに開示された方法は、説明された方法を達成するための１つまたは複数のステップまたはアクションを備える。方法のステップおよび／またはアクションは、特許請求の範囲から逸脱することなく互いに置き換えられ得る。言い換えれば、ステップまたはアクションの特定の順序が明記されない限り、特定のステップおよび／またはアクションの順序および／または使用は、特許請求の範囲から逸脱することなく修正され得る。
【００７５】
[0083]ここで使用される場合、項目のリスト「のうちの少なくとも１つ」という表現は、単一のメンバ（members）を含む、それらの項目の任意の組合せを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同一の要素を有する任意の組合せ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃのその他任意の順序）をカバーするように意図される。
【００７６】
[0084]本明細書で使用される場合、「決定する」という用語は、幅広い種類のアクションを含む。例えば、「決定すること」は、算出すること、コンピューティングすること、処理すること、導出すること、調べること、ルックアップすること（例えば、テーブル、データベース、または別のデータ構造をルックアップすること）、アサートすることなどを含み得る。また、「決定すること」は、受信すること（例えば、情報を受信すること）、アクセスすること（例えば、メモリ内のデータにアクセスすること）などを含み得る。また、「決定すること」は、解決すること、選択すること、選ぶこと、確立することなどを含み得る。
【００７７】
[0085]いくつかの事例では、フレームを実際に送信するのではなく、デバイスは、送信用のフレームを出力するためのインターフェースを有し得る。例えば、プロセッサは、送信用のＲＦフロントエンドに、バスインターフェースを介して、フレームを出力し得る。同様に、フレームを実際に受信するのではなく、デバイスは、別のデバイスから受信されるフレームを取得するためのインターフェースを有し得る。例えば、プロセッサは、送信用のＲＦフロントエンドから、バスインターフェースを介して、フレームを取得（または受信）し得る。
【００７８】
[0086]上記で説明された方法の様々な動作は、対応する機能を行うことが可能な任意の適切な手段によって行われ得る。これら手段は、それに限定されるものではないが、回路、特定用途向け集積回路（ＡＳＩＣ）、またはプロセッサを含む、様々なハードウェアおよび／または（１つまたは複数の）ソフトウェアコンポーネントおよび／または（１つまたは複数の）モジュールを含み得る。概して、図面に例示された動作がある場合、それらの動作は、同様に番号付けされた対応する対照のミーンズ・プラス・ファンクション・コンポーネントを有し得る。
【００７９】
[0087]例えば、出力するための手段および送信するための手段は、図２において例示されるｅＮＢ１１０の送信プロセッサ２２０、変調器２３２、および／または（１つまたは複数の）アンテナ２３４であるか、または図２において例示されるＵＥ１２０の送信プロセッサ２６４、変調器２５４、および／または（１つまたは複数の）アンテナ２５２であり得る。出力するための手段および受信するための手段は、図２において例示されるｅＮＢ１１０の受信プロセッサ２３８、複調器２３２、および／または（１つまたは複数の）アンテナ２３４であるか、または図２において例示されるＵＥ１２０の受信プロセッサ２５８、複調器２５４、および／または（１つまたは複数の）アンテナ２５２であり得る。
【００８０】
[0088]探索するための手段、１つまたは複数のアクションを取るための手段、決定するための手段、測定するための手段、および／または報告するための手段は、処理システムを備え得、それは、図２において例示されるｅＮＢ１１０のコントローラ／プロセッサ２４０、通信ユニット２４４、またはＵＥ１２０のコントローラ／プロセッサ２８０のような、１つまたは複数のプロセッサを含み得る。
【００８１】
[0089]本開示に関連して説明された、様々な例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタロジック、個別ハードウェアコンポーネント、あるいはここに説明される機能を行うように設計されたこれらの任意の組合せを用いてインプリメントまたは行われ得る。汎用プロセッサは、マイクロプロセッサであり得るが、代替として、このプロセッサは、任意の商業的に利用可能なプロセッサ、コントローラ、マイクロコントローラ、またはステートマシンであり得る。プロセッサはまた、コンピューティングデバイスの組合せ、例えば、ＤＳＰとマイクロプロセッサの組合せ、複数のマイクロプロセッサ、ＤＳＰコアと連携した１つまたは複数のマイクロプロセッサ、あるいはその他任意のこのような構成としてインプリメントされ得る。
【００８２】
[0090]ハードウェアでインプリメントされる場合、例となるハードウェア構成は、ワイヤレスノードにおける処理システムを備え得る。処理システムは、バスアーキテクチャでインプリメントされ得る。バスは、処理システムの特定のアプリケーションおよび全体的な設計制約に依存して、任意の数の相互接続バスおよびブリッジを含み得る。バスは、プロセッサ、機械読取り可能媒体、およびバスインターフェースを含む様々な回路を共にリンクし得る。バスインターフェースは、特に、ネットワークアダプタをバスを介して処理システムに接続するために使用され得る。ネットワークアダプタは、ＰＨＹレイヤの信号処理機能をインプリメントするために使用され得る。ＵＥ１２０（図１を参照）の事例では、ユーザインターフェース（例えば、キーパッド、ディスプレイ、マウス、ジョイスティックなど）がまた、バスに接続され得る。バスはまた、タイミングソース、周辺機器、電圧レギュレータ、電力管理回路、などの、様々な他の回路をリンクし得、これらは、当該技術分野において周知であり、したがって、これ以上は説明されない。プロセッサは、１つまたは複数の汎用および／または専用プロセッサを用いてインプリメントされ得る。例は、マイクロプロセッサ、マイクロコントローラ、ＤＳＰプロセッサ、およびソフトウェアを実行することができるその他の回路を含む。当業者であれば、特定のアプリケーションおよびシステム全体に課せられる全体的な設計制約に依存して、処理システムに関して説明された機能性をインプリメントするのに最良の方法を認識するであろう。
【００８３】
[0091]ソフトウェアでインプリメントされる場合、これら機能は、コンピュータ読取り可能媒体上で、１つまたは複数の命令またはコードとして送信または記憶され得る。ソフトウェアは、ソフトウェア、ファームウェア、ミドルウェア、マイクロコード、ハードウェア記述言語、またはその他の方法で呼ばれるかにかかわらず、命令、データ、またはこれらの任意の組合せを意味するように広く解釈されるべきである。コンピュータ読取り可能媒体は、１つの場所から別の場所へのコンピュータプログラムの転送を容易にする任意の媒体を含む通信媒体とコンピュータ記憶媒体の両方を含む。プロセッサは、バスの管理と、機械読取り可能な記憶媒体に記憶されたソフトウェアモジュールの実行を含む汎用処理と、を担い得る。コンピュータ読取り可能な記憶媒体は、プロセッサが記憶媒体から情報を読み取り、また、記憶媒体に情報を書き込むことができるように、プロセッサに結合され得る。代替として、記憶媒体は、プロセッサと一体化され得る。例として、機械読取り可能媒体は、伝送回線、データによって変調された搬送波、および／またはワイヤレスノードとは別個にそれ上に記憶された命令をもつコンピュータ読取り可能媒体を含み得、これら全ては、バスインターフェースを通じてプロセッサによってアクセスされ得る。代替的に、またはこれに加えて、機械読取り可能媒体、またはその任意の部分は、その事例がキャッシュおよび／または汎用レジスタファイルを伴い得るように、プロセッサに統合され得る。機械読取り可能記憶媒体の例は、例として、ＲＡＭ（ランダムアクセスメモリ）、フラッシュメモリ、ＲＯＭ（読取専用メモリ）、ＰＲＯＭ（プログラマブル読取専用メモリ）、ＥＰＲＯＭ（消去可能なプログラマブル読取専用メモリ）、ＥＥＰＲＯＭ（登録商標）（電気的に消去可能なプログラマブル読取専用メモリ）、レジスタ、磁気ディスク、光ディスク、ハードドライブ、またはその他任意の適切な記憶媒体、またはこれらの任意の組合せを含み得る。機械読取り可能媒体は、コンピュータプログラム製品に具現化され得る。
【００８４】
[0092]ソフトウェアモジュールは、単一の命令、または多くの命令を備え得、幾つかの異なるコードセグメントにわたって、異なるプログラム間で、および複数の記憶媒体にわたって、分散され得る。コンピュータ読取り可能媒体は、いくつかのソフトウェアモジュールを備え得る。これらソフトウェアモジュールは、プロセッサのような装置によって実行されると、様々な機能を処理システムに行わせる命令を含む。これらソフトウェアモジュールは、送信モジュールおよび受信モジュールを含み得る。各ソフトウェアモジュールは、単一の記憶デバイス内に存在し得るか、または、複数の記憶デバイスにわたって分散され得る。例として、ソフトウェアモジュールは、トリガリングイベントが起きたときに、ハードドライブからＲＡＭにロードされ得る。ソフトウェアモジュールの実行中、プロセッサは、アクセス速度を増やすために、命令のうちのいくつかをキャッシュにロードし得る。その後、１つまたは複数のキャッシュラインが、プロセッサによる実行のために汎用レジスタファイルにロードされ得る。下記においてソフトウェアモジュールの機能性に言及する場合、そのような機能性は、そのソフトウェアモジュールから命令を実行するとき、プロセッサによってインプリメントされるということが理解されるであろう。
【００８５】
[0093]また、いずれの接続手段も、厳密には、コンピュータ読取り可能媒体と称される。例えば、ソフトウェアが、ウェブサイト、サーバ、あるいは、同軸ケーブル、光ファイバー・ケーブル、ツイスト・ペア、デジタル加入者回線（ＤＳＬ）、または、赤外線の（ＩＲ）、無線の、およびマイクロ波のようなワイヤレス技術を使用して他の遠隔ソースから送信される場合、同軸ケーブル、光ファイバー・ケーブル、ツイスト・ペア、ＤＳＬ、または赤外線の、無線の、およびマイクロ波のようなワイヤレス技術は、媒体の定義に含まれる。ディスク（disk）およびディスク（disc）は、本明細書で使用される場合、コンパクトディスク（disc）（ＣＤ）、レーザーディスク（登録商標）（disc）、光学ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）が通常、磁気的にデータを再生する一方で、ディスク（disc）は、レーザーを用いて光学的にデータを再生する。よって、いくつかの態様では、コンピュータ読取り可能媒体は、非一時的なコンピュータ読取り可能媒体（例えば、有体媒体）を備え得る。加えて、他の態様では、コンピュータ読取り可能媒体は、一時的なコンピュータ読取り可能媒体（例えば、信号）を備え得る。上記の組合せもまた、コンピュータ読取り可能媒体の範囲内に含まれるべきである。
【００８６】
[0094]さらに、ここに説明される方法および技法を行うためのモジュールおよび／または他の適切な手段が、適用可能である場合、ユーザ端末および／または基地局によってダウンロードされることができる、および／または別の形で取得されることができることは認識されるべきである。例えば、そのようなデバイスは、ここに説明される方法を行うための手段の転送を容易にするためにサーバに結合されることができる。代替的に、ここに説明される様々な方法は、ユーザ端末および／または基地局が、デバイスに記憶手段を結合または提供する際に様々な方法を取得することができるように、記憶手段（例えば、ＲＡＭ、ＲＯＭ、コンパクトディスク（ＣＤ）またはフロッピーディスクのような物理記憶媒体など）を介して提供されることができる。さらに、ここに説明される方法および技法をデバイスに提供するためのその他任意の適切な技法が、利用されることができる。
【００８７】
[0095]特許請求の範囲が、上記に例示されたまさにその構成およびコンポーネントに限定されないことが、理解されるべきである。様々な修正、変更および変形が、上記に説明された方法および装置の配置、動作および詳細において、特許請求の範囲から逸脱することなく行われ得る。
【図１】
2018529276.tif 000003
【図２】
2018529276.tif 000004
【図３】
2018529276.tif 000005
【図４】
2018529276.tif 000006
【図４Ａ】
2018529276.tif 000007
【図５】
2018529276.tif 000008
【図６】
2018529276.tif 000009
【図７】
2018529276.tif 000010
【手続補正書】
【提出日】平成30年4月24日(2018.4.24)
【手続補正１】
【補正対象書類名】特許請求の範囲
【補正対象項目名】全文
【補正方法】変更
【補正の内容】
【特許請求の範囲】
【請求項１】
単一受信アンテナを有するユーザ機器（ＵＥ）によるワイヤレス通信のための方法であって、
１つまたは複数のモビリティプロシージャを行いながら、１つまたは複数のセルによって送信された同期信号を探索することと、
行われるモビリティプロシージャのタイプに少なくとも部分的に依存して、１つまたは複数のアクションを取ることによって、前記同期信号の検出および近傍セルの測定を強化することと
を備える、方法。
【請求項２】
前記１つまたは複数のアクションを取ることは、
前記ＵＥがプライマリ同期信号（ＰＳＳ）についてモニタするハーフフレーム（ＨＦ）の数を選択すること
を備える、請求項１に記載の方法。
【請求項３】
モビリティプロシージャの前記タイプは、初期獲得プロシージャを備え、前記探索することは、前記選択された数のＨＦ上でプライマリ同期信号（ＰＳＳ）を組み合わせることを備える、請求項２に記載の方法。
【請求項４】
前記組み合わされたＰＳＳに関する信号対雑音比（ＳＮＲ）が、前記選択された数のＨＦのうちの少なくとも１つのＨＦに関して、しきい値を上回ることを決定すること、
ここにおいて、前記１つまたは複数のアクションを取ることは、前記決定に基づいて、前記選択された数のＨＦの全てのＨＦが起こる前に前記初期獲得プロシージャを終えることを備える、
をさらに備える、請求項３に記載の方法。
【請求項５】
しきい値の第１のセットは、リスト周波数探索（ＬＦＳ）に基づいて、初期獲得のためのＰＳＳおよびセカンダリ同期信号（ＳＳＳ）を検出するために使用され、
しきい値の第２のセットは、全周波数探索（ＦＦＳ）に基づいて、初期獲得のためのＰＳＳおよびＳＳＳを検出するために使用される、請求項３に記載の方法。
【請求項６】
前記探索することは、対応する相関ピークが、前記選択された数のＨＦのうちの１つより多くに関して、しきい値を超える場合にのみ、セカンダリ同期信号（ＳＳＳ）候補を選択することを備える、請求項５に記載の方法。
【請求項７】
モビリティプロシージャの前記タイプは、近傍探索プロシージャを備え、前記選択された数のＨＦが、前記ＵＥの動作モードに、少なくとも部分的に基づいて選択される、請求項２に記載の方法。
【請求項８】
前記ＵＥが不連続受信（ＤＲＸ）動作モードにあるとき、前記選択された数のＨＦは、前記ＵＥのパニック状態に、少なくとも部分的に基づいて、さらに選択され、ここにおいて、前記パニック状態は、どのくらいの頻度で、前記探索が行われるかを決定し、前記パニック状態は、信号品質メトリックに基づく、請求項７に記載の方法。
【請求項９】
モビリティプロシージャの前記タイプは、近傍セルの測定を備え、前記１つまたは複数のアクションを取ることは、時間ウィンドウの間、複数の測定を介して、時間にわたる最大基準信号受信電力（ＲＳＲＰ）を選択すること
を備える、請求項１に記載の方法。
【請求項１０】
前記１つまたは複数のアクションを取ることは、
サブフレームの第１のグループに関する基準信号受信電力（ＲＳＲＰ）を測定することと、
サブフレームの第２のグループに関するＲＳＲＰを測定することと、
第１のアンテナに関するＲＳＲＰとしてサブフレームの前記第１のグループに関する前記ＲＳＲＰを報告することと、
第２のアンテナに関するＲＳＲＰとしてサブフレームの前記第２のグループに関する前記ＲＳＲＰを報告することと
を備える、請求項９の方法。
【請求項１１】
前記ＵＥが不連続受信（ＤＲＸ）動作モードにあるとき、前記測定が行われる前記時間ウィンドウの長さが、前記ＵＥのパニック状態に、少なくとも部分的に基づいて選択され、ここにおいて、前記パニック状態は、どのくらいの頻度で、前記測定が行われるかを決定し、前記パニック状態は、信号品質メトリックに基づく、請求項９に記載の方法。
【請求項１２】
前記１つまたは複数のアクションを取ることは、前記探索を行うためのＨＦの１つまたは複数の部分の周期性を選択することを備える、請求項１に記載の方法。
【請求項１３】
前記周期性は、低いドップラーにあるＵＥに関して、より少ない数のＨＦと共に増やされるか、または
前記周期性は、高いドップラーにあるＵＥに関して、より多くの数のＨＦと共に減らされる、請求項１２に記載の方法。
【請求項１４】
前記１つまたは複数のアクションを取ることは、異なるアンテナに対する値を表すために時間的に多様な値を用いることを備える、請求項１に記載の方法。
【請求項１５】
単一受信アンテナを有するユーザ機器（ＵＥ）によるワイヤレス通信のための装置であって、
１つまたは複数のモビリティプロシージャを行いながら、１つまたは複数のセルによって送信された同期信号を探索するための手段と、
行われるモビリティプロシージャのタイプに少なくとも部分的に依存して、１つまたは複数のアクションを取ることによって、前記同期信号の検出および近傍セルの測定を強化するための手段と
を備える、装置。
【請求項１６】
同期信号の検出および近傍セルの測定を強化するための前記手段は、前記ＵＥがプライマリ同期信号（ＰＳＳ）についてモニタするハーフフレーム（ＨＦ）の数を選択するように構成される、請求項１５に記載の装置。
【請求項１７】
モビリティプロシージャの前記タイプは、初期獲得プロシージャを備え、探索するための前記手段は、前記選択された数のＨＦ上でプライマリ同期信号（ＰＳＳ）を組み合わせるように構成される、請求項１６に記載の装置。
【請求項１８】
前記組み合わされたＰＳＳに関する信号対雑音比（ＳＮＲ）が、前記選択された数のＨＦのうちの少なくとも１つのＨＦに関して、しきい値を上回ることを決定するための手段と、
ここにおいて、同期信号の検出および近傍セルの測定を強化するための前記手段は、前記組み合わされたＰＳＳに関する前記ＳＮＲが、前記選択された数のＨＦのうちの前記少なくとも１つのＨＦに関して前記しきい値よりも上回るという決定に基づいて、前記選択された数のＨＦの全てのＨＦが起こる前に前記初期獲得プロシージャを終えるようにさらに構成される、
をさらに備える、請求項１７に記載の装置。
【請求項１９】
しきい値の第１のセットは、リスト周波数探索（ＬＦＳ）に基づいて、初期獲得のためのＰＳＳおよびセカンダリ同期信号（ＳＳＳ）を検出するために使用され、
しきい値の第２のセットは、全周波数探索（ＦＦＳ）に基づいて、初期獲得のためのＰＳＳおよびＳＳＳを検出するために使用される、請求項１７に記載の装置。
【請求項２０】
探索するための前記手段は、対応する相関ピークが、前記選択された数のＨＦのうちの１つより多くに関して、しきい値を超える場合にのみ、セカンダリ同期信号（ＳＳＳ）候補を選択することを備える、請求項１９に記載の装置。
【請求項２１】
モビリティプロシージャの前記タイプは、近傍探索プロシージャを備え、同期信号の検出および近傍セルの測定を強化するための前記手段は、前記ＵＥの動作モードに、少なくとも部分的に基づいて、前記ＨＦの数を選択するようにさらに構成される、請求項１６に記載の装置。
【請求項２２】
前記ＵＥが不連続受信（ＤＲＸ）動作モードにあるとき、同期信号の検出および近傍セルの測定を強化するための前記手段は、前記ＵＥのパニック状態に、さらに少なくとも部分的に基づいて、前記ＨＦの数を選択するようにさらに構成され、ここにおいて、前記パニック状態は、どのくらいの頻度で、前記探索が行われるかを決定し、前記パニック状態は、信号品質メトリックに基づく、請求項２１に記載の装置。
【請求項２３】
モビリティプロシージャの前記タイプは、近傍セルの測定を備え、同期信号の検出および近傍セルの測定を強化するための前記手段は、時間ウィンドウの間、複数の測定を介して、時間にわたる最大基準信号受信電力（ＲＳＲＰ）を選択するように構成される、請求項１５に記載の装置。
【請求項２４】
同期信号の検出および近傍セルの測定を強化するための前記手段は、
サブフレームの第１のグループに関する基準信号受信電力（ＲＳＲＰ）を測定することと、
サブフレームの第２のグループに関するＲＳＲＰを測定することと、
第１のアンテナに関するＲＳＲＰとしてサブフレームの前記第１のグループに関する前記ＲＳＲＰを報告することと、
第２のアンテナに関するＲＳＲＰとしてサブフレームの前記第２のグループに関する前記ＲＳＲＰを報告することと
を行うようにさらに構成される、請求項２３に記載の装置。
【請求項２５】
前記ＵＥが不連続受信（ＤＲＸ）動作モードにあるとき、同期信号の検出および近傍セルの測定を強化するための前記手段は、前記ＵＥのパニック状態に、少なくとも部分的に基づいて、前記測定が行われる前記時間ウィンドウの長さを選択するようにさらに構成され、ここにおいて、前記パニック状態は、どのくらいの頻度で、前記測定が行われるかを決定し、前記パニック状態は、信号品質メトリックに基づく、請求項２３に記載の装置。
【請求項２６】
同期信号の検出および近傍セルの測定を強化するための前記手段は、前記探索を行うためのＨＦの１つまたは複数の部分の周期性を選択するように構成される、請求項１５に記載の装置。
【請求項２７】
前記周期性は、低いドップラーにあるＵＥに関して、より少ない数のＨＦと共に増やされるか、または
前記周期性は、高いドップラーにあるＵＥに関して、より多くのＨＦと共に減らされる、請求項２６に記載の装置。
【請求項２８】
前記同期信号の検出および近傍セルの測定を強化することは、異なるアンテナに対する値を表すために時間的に多様な値を用いるように構成される、請求項１５に記載の装置。
【請求項２９】
単一受信アンテナを有するユーザ機器（ＵＥ）によるワイヤレス通信のための装置であって、
１つまたは複数のモビリティプロシージャを行いながら、１つまたは複数のセルによって送信された同期信号を探索することと、
行われるモビリティプロシージャのタイプに少なくとも部分的に依存して、１つまたは複数のアクションを取ることによって、前記同期信号の検出および近傍セルの測定を強化することと
を行うように構成された少なくとも１つのプロセッサと、
前記少なくとも１つのプロセッサと結合されたメモリと
を備える、装置。
【請求項３０】
非一時的コンピュータ読取り可能媒体であって、
１つまたは複数のモビリティプロシージャを行いながら、１つまたは複数のセルによって送信された同期信号を探索することと、
行われるモビリティプロシージャのタイプに少なくとも部分的に依存して、１つまたは複数のアクションを取ることによって、前記同期信号の検出および近傍セルの測定を強化することと
を行うための１つまたは複数の命令を備える、非一時的コンピュータ読取り可能媒体。
【手続補正２】
【補正対象書類名】明細書
【補正対象項目名】００８７
【補正方法】変更
【補正の内容】
【００８７】
[0095]特許請求の範囲が、上記に例示されたまさにその構成およびコンポーネントに限定されないことが、理解されるべきである。様々な修正、変更および変形が、上記に説明された方法および装置の配置、動作および詳細において、特許請求の範囲から逸脱することなく行われ得る。
以下に本願の出願当初の特許請求の範囲に記載された発明を付記する。
［Ｃ１］
単一受信アンテナを有するユーザ機器（ＵＥ）によるワイヤレス通信のための方法であって、
１つまたは複数のモビリティプロシージャを行いながら、１つまたは複数のセルによって送信された同期信号を探索することと、
同期信号の検出および近傍セルの測定を強化するために、１つまたは複数のアクションを取ること、ここにおいて、前記取られる１つまたは複数のアクションは、行われるモビリティプロシージャのタイプに少なくとも部分的に依存する、と
を備える、方法。
［Ｃ２］
前記１つまたは複数のアクションを取ることは、
前記ＵＥがプライマリ同期信号（ＰＳＳ）についてモニタするハーフフレーム（ＨＦ）の数を選択すること
を備える、Ｃ１に記載の方法。
［Ｃ３］
初期獲得プロシージャに関して、前記探索することは、前記選択された数のＨＦ上でプライマリ同期信号（ＰＳＳ）を組み合わせることを備える、Ｃ２に記載の方法。
［Ｃ４］
前記組み合わされたＰＳＳに関する信号対雑音比（ＳＮＲ）が、前記選択された数のＨＦのうちの少なくとも１つのＨＦに関して、しきい値を上回ることを決定すること、
ここにおいて、１つまたは複数のアクションを取ることは、前記決定に基づいて、前記選択された数のＨＦの全てのＨＦが起こる前に初期セル探索を停止することを備える、
をさらに備える、Ｃ３に記載の方法。
［Ｃ５］
しきい値の第１のセットは、リスト周波数探索（ＬＦＳ）に基づいて、初期獲得のためのＰＳＳおよびセカンダリ同期信号（ＳＳＳ）を検出するために使用され、
しきい値の第２のセットは、全周波数探索（ＦＦＳ）に基づいて、初期獲得のためのＰＳＳおよびＳＳＳを検出するために使用される、Ｃ３に記載の方法。
［Ｃ６］
前記探索することは、対応する相関ピークが、前記選択された数のＨＦのうちの１つより多くに関して、しきい値を超える場合にのみ、セカンダリ同期信号（ＳＳＳ）候補を選択することを備える、Ｃ５に記載の方法。
［Ｃ７］
近傍探索プロシージャに関して、前記選択された数のＨＦが、前記ＵＥの動作モードに、少なくとも部分的に基づいて選択される、Ｃ２に記載の方法。
［Ｃ８］
前記ＵＥが不連続受信（ＤＲＸ）モードにあるとき、前記選択された数のＨＦは、前記ＵＥのパニック状態に、少なくとも部分的に基づいて、さらに選択され、ここにおいて、前記パニック状態は、どのくらいの頻度で、前記探索が行われるかを決定し、前記パニック状態は、信号品質メトリックに基づく、Ｃ７に記載の方法。
［Ｃ９］
近傍セルの測定に関して、前記１つまたは複数のアクションを取ることは、時間ウィンドウの間、複数の測定を介して、時間にわたる最大基準信号受信電力（ＲＳＲＰ）を選択すること
を備える、Ｃ１に記載の方法。
［Ｃ１０］
前記１つまたは複数のアクションを取ることは、
サブフレームの第１のグループに関する基準信号受信電力（ＲＳＲＰ）を測定することと、
サブフレームの第２のグループに関するＲＳＲＰを測定することと、
第１のアンテナに関するＲＳＲＰとしてサブフレームの前記第１のグループに関する前記ＲＳＲＰを報告することと、
第２のアンテナに関するＲＳＲＰとしてサブフレームの前記第２のグループに関する前記ＲＳＲＰを報告することと
を備える、Ｃ９の方法。
［Ｃ１１］
前記ＵＥが不連続受信（ＤＲＸ）モードにあるとき、前記測定が行われる前記時間ウィンドウの長さが、前記ＵＥのパニック状態に、少なくとも部分的に基づいて選択され、ここにおいて、前記パニック状態は、どのくらいの頻度で、前記測定が行われるかを決定し、前記パニック状態は、信号品質メトリックに基づく、Ｃ９に記載の方法。
［Ｃ１２］
１つまたは複数のアクションを取ることは、前記探索を行うためのＨＦの１つまたは複数の部分の周期性を選択することを備える、Ｃ１に記載の方法。
［Ｃ１３］
前記周期性は、低いドップラーにあるＵＥに関して、より少ない数のＨＦと共に増やされるか、または
前記周期性は、高いドップラーにあるＵＥに関して、より多くの数のＨＦと共に減らされる、Ｃ１２に記載の方法。
［Ｃ１４］
前記１つまたは複数のアクションを取ることは、異なるアンテナに対する値を表すために時間的に多様な値を用いることを備える、Ｃ１に記載の方法。
［Ｃ１５］
単一受信アンテナを有するユーザ機器（ＵＥ）によるワイヤレス通信のための装置であって、
１つまたは複数のモビリティプロシージャを行いながら、１つまたは複数のセルによって送信された同期信号を探索するための手段と、
同期信号の検出および近傍セルの測定を強化するために、１つまたは複数のアクションを取るための手段、ここにおいて、１つまたは複数のアクションを取るための前記手段によって取られたアクションは、行われるモビリティプロシージャのタイプに少なくとも部分的に依存する、と
を備える、装置。
［Ｃ１６］
前記１つまたは複数のアクションを取るための前記手段は、前記ＵＥがプライマリ同期信号（ＰＳＳ）についてモニタするハーフフレーム（ＨＦ）の数を選択するように構成される、Ｃ１５に記載の装置。
［Ｃ１７］
初期獲得プロシージャに関して、探索するための前記手段は、前記選択された数のＨＦ上でプライマリ同期信号（ＰＳＳ）を組み合わせるように構成される、Ｃ１６に記載の装置。
［Ｃ１８］
前記組み合わされたＰＳＳに関する信号対雑音比（ＳＮＲ）が、前記選択された数のＨＦのうちの少なくとも１つのＨＦに関して、しきい値を上回ることを決定するための手段と、
ここにおいて、１つまたは複数のアクションを取るための前記手段は、前記組み合わされたＰＳＳに関する前記ＳＮＲが、前記選択された数のＨＦのうちの前記少なくとも１つのＨＦに関して前記しきい値よりも上回るという決定に基づいて、前記選択された数のＨＦの全てのＨＦが起こる前に初期セル探索を停止するようにさらに構成される、
をさらに備える、Ｃ１７に記載の装置。
［Ｃ１９］
しきい値の第１のセットは、リスト周波数探索（ＬＦＳ）に基づいて、初期獲得のためのＰＳＳおよびセカンダリ同期信号（ＳＳＳ）を検出するために使用され、
しきい値の第２のセットは、全周波数探索（ＦＦＳ）に基づいて、初期獲得のためのＰＳＳおよびＳＳＳを検出するために使用される、Ｃ１７に記載の装置。
［Ｃ２０］
探索するための前記手段は、対応する相関ピークが、前記選択された数のＨＦのうちの１つより多くに関して、しきい値を超える場合にのみ、セカンダリ同期信号（ＳＳＳ）候補を選択することを備える、Ｃ１９に記載の装置。
［Ｃ２１］
近傍探索プロシージャに関して、１つまたは複数のアクションを取るための前記手段は、前記ＵＥの動作モードに、少なくとも部分的に基づいて、前記ＨＦの数を選択するようにさらに構成される、Ｃ１６に記載の装置。
［Ｃ２２］
前記ＵＥが不連続受信（ＤＲＸ）モードにあるとき、１つまたは複数のアクションを取るための前記手段は、前記ＵＥのパニック状態に、さらに少なくとも部分的に基づいて、前記ＨＦの数を選択するようにさらに構成され、ここにおいて、前記パニック状態は、どのくらいの頻度で、前記探索が行われるかを決定し、前記パニック状態は、信号品質メトリックに基づく、Ｃ２１に記載の装置。
［Ｃ２３］
近傍セルの測定に関して、前記１つまたは複数のアクションを取るための前記手段は、時間ウィンドウの間、複数の測定を介して、時間にわたる最大基準信号受信電力（ＲＳＲＰ）を選択するように構成される、Ｃ１５に記載の装置。
［Ｃ２４］
前記１つまたは複数のアクションを取るための前記手段は、
サブフレームの第１のグループに関する基準信号受信電力（ＲＳＲＰ）を測定することと、
サブフレームの第２のグループに関するＲＳＲＰを測定することと、
第１のアンテナに関するＲＳＲＰとしてサブフレームの前記第１のグループに関する前記ＲＳＲＰを報告することと、
第２のアンテナに関するＲＳＲＰとしてサブフレームの前記第２のグループに関する前記ＲＳＲＰを報告することと
を行うようにさらに構成される、Ｃ２３に記載の装置。
［Ｃ２５］
前記ＵＥが不連続受信（ＤＲＸ）モードにあるとき、１つまたは複数のアクションを取るための前記手段は、前記ＵＥのパニック状態に、少なくとも部分的に基づいて、前記測定が行われる前記時間ウィンドウの長さを選択するようにさらに構成され、ここにおいて、前記パニック状態は、どのくらいの頻度で、前記測定が行われるかを決定し、前記パニック状態は、信号品質メトリックに基づく、Ｃ２３に記載の装置。
［Ｃ２６］
１つまたは複数のアクションを取るための前記手段は、前記探索を行うためのＨＦの１つまたは複数の部分の周期性を選択するように構成される、Ｃ１５に記載の装置。
［Ｃ２７］
前記周期性は、低いドップラーにあるＵＥに関して、より少ない数のＨＦと共に増やされるか、または
前記周期性は、高いドップラーにあるＵＥに関して、より多くのＨＦと共に減らされる、Ｃ２６に記載の装置。
［Ｃ２８］
前記１つまたは複数のアクションを取るための前記手段は、異なるアンテナに対する値を表すために時間的に多様な値を用いるように構成される、Ｃ１５に記載の装置。
［Ｃ２９］
単一受信アンテナを有するユーザ機器（ＵＥ）によるワイヤレス通信のための装置であって、
１つまたは複数のモビリティプロシージャを行いながら、１つまたは複数のセルによって送信された同期信号を探索することと、
同期信号の検出および近傍セルの測定を強化するために、１つまたは複数のアクションを取ること、ここにおいて、前記取られる１つまたは複数のアクションは、行われるモビリティプロシージャのタイプに少なくとも部分的に依存する、と
を行うように構成された少なくとも１つのプロセッサと、
前記少なくとも１つのプロセッサと結合されたメモリと
を備える、装置。
［Ｃ３０］
非一時的コンピュータ読取り可能媒体であって、
１つまたは複数のモビリティプロシージャを行いながら、１つまたは複数のセルによって送信された同期信号を探索することと、
同期信号の検出および近傍セルの測定を強化するために、１つまたは複数のアクションを取ること、ここにおいて、前記取られる１つまたは複数のアクションは、行われるモビリティプロシージャのタイプに少なくとも部分的に依存する、と
を行うための１つまたは複数の命令を備える、非一時的コンピュータ読取り可能媒体。
【国際調査報告】
2018529276.tif 000011
2018529276.tif 000012